(57)【要約】  通信デバイスは、モバイル通信ネットワークのインフラ機器へ信号を送信し、及び／又はインフラ機器から信号を受信するように構成される。通信デバイスは、受信機、送信機、及びコントローラを備える。コントローラは、送信機及び受信機と組み合わせて、インフラ機器が、通信デバイスがインフラ機器にデータを送信するためのアップリンク上で、又は通信デバイスがインフラ機器からデータを受信するためのダウンリンク上で、ワイヤレスアクセスインタフェースの通信リソースを提供するための要件を識別するときに、通信デバイスがデータを表す信号を送信又は受信するために使用するべき、複数の異なるサブキャリア間隔のうちの１つのワイヤレスアクセスインタフェースのダウンリンク上で標識を受信するように構成され、示されるサブキャリア間隔もまた、通信デバイスが単一サブキャリアを使用すべきか、あるいは複数サブキャリアを使用すべきかを決定する。【選択図】図５
2019501603.tif 000002
【特許請求の範囲】
【請求項１】
モバイル通信ネットワークのインフラ機器へ信号を送信し、及び／又はインフラ機器から信号を受信するように構成される通信デバイスであって、前記通信デバイスが、
ワイヤレスアクセスインタフェースに従って前記インフラ機器により送信される信号を受信するように構成される受信機と、
前記ワイヤレスアクセスインタフェースに従って前記インフラ機器に信号を送信するように構成される送信機と、
前記送信機及び前記受信機を制御して、前記ワイヤレスアクセスインタフェースのアップリンクを介して前記インフラ機器にデータを送信し、又は前記ワイヤレスアクセスインタフェースの前記ダウンリンク上でデータを受信するように構成されるコントローラと、を備え、
前記ワイヤレスアクセスインタフェースが、前記データを表す信号を前記アップリンク上で送信するための、又は前記データを表す前記信号を前記ダウンリンク上で受信するための、複数の異なるサブキャリア間隔を提供することができ、前記コントローラが、前記送信機及び前記受信機と組み合わせて、
前記インフラ機器が、前記通信デバイスが前記インフラ機器にデータを送信するための前記アップリンク上で、又は前記通信デバイスが前記インフラ機器からデータを受信するための前記ダウンリンク上で、前記ワイヤレスアクセスインタフェースの通信リソースを提供するための要件を識別するときに、前記通信デバイスが前記データを表す前記信号を送信又は受信するために使用するべき、前記複数の異なるサブキャリア間隔のうちの１つの前記ワイヤレスアクセスインタフェースのダウンリンク上で標識を受信するように構成され、示される前記サブキャリア間隔もまた、前記通信デバイスが単一サブキャリアを使用すべきか、あるいは複数サブキャリアを使用すべきかを決定する、通信デバイス。
【請求項２】
前記受信機が、複数の利用可能なサブキャリアのうちのどのサブキャリアを、示される前記サブキャリア間隔で、前記通信デバイスが前記データを前記インフラ機器に送信するために、若しくは前記データを前記インフラ機器から受信するために使用すべきか、又は、どの複数の利用可能なサブキャリアを、示される前記サブキャリア間隔で、前記通信デバイスが前記データを送信若しくは受信するために使用すべきかの標識を、示される前記サブキャリア間隔に依存して、前記インフラ機器から受信するように構成される、請求項１に記載の通信デバイス。
【請求項３】
前記受信機が、前記サブキャリア間隔の前記標識を、使用するサブキャリア又は複数のサブキャリアの標識とともに、前記サブキャリア間隔を示すフィールド、及び使用する前記サブキャリア又は複数のサブキャリアを示すフィールドを含むダウンリンク制御メッセージにおいて受信するように構成され、
前記コントローラが、前記サブキャリア又は複数のサブキャリアのうちのどれを使用するかを示す前記フィールドを、前記サブキャリア間隔を示す前記フィールドが、単一サブキャリアとしてのみ使用され得るサブキャリア間隔を示すか、あるいは単一又は複数サブキャリアとして使用され得るサブキャリア間隔を示すかに依存して、異なるように解釈するように構成される、請求項２に記載の通信デバイス。
【請求項４】
前記サブキャリア又は複数のサブキャリアのどれを使用するかを前記サブキャリア間隔の関数として示す前記フィールドが、前記インフラ機器と前記通信デバイスとの間で予め定められ、テーブルとして表され得る、請求項３に記載の通信デバイス。
【請求項５】
前記サブキャリア又は複数のサブキャリアのどれを使用するかを前記サブキャリア間隔の関数として示す前記フィールドの前記予め定められた解釈が、前記インフラ機器からブロードキャストシステム情報の一部として受信される、請求項４に記載の通信デバイス。
【請求項６】
前記ダウンリンク制御メッセージが、前記データ送信時に前記通信デバイスによって、使用されるべき変調方式、使用されるべき符号化方式、及び使用されるべきトランスポートブロックサイズのうちの１つ以上の標識を含み、
前記コントローラが、使用する前記変調方式、前記符号化方式、及び前記トランスポートブロックサイズのうちの１つ以上の前記標識を、示される前記サブキャリア間隔に依存して異なるように解釈するように構成される、請求項３に記載の通信デバイス。
【請求項７】
示される前記サブキャリア間隔に依存した、前記変調方式、前記符号化方式、及び前記トランスポートブロックサイズのうちの１つ以上の前記標識の異なる前記解釈が、前記インフラ機器からブロードキャストシステム情報の一部として受信される、請求項６に記載の通信デバイス。
【請求項８】
前記コントローラが、
前記インフラ機器から前記ワイヤレスアクセスインタフェースを介して受信される信号強度を測定し、
測定結果の報告を前記インフラ機器に送信し、前記インフラ機器が、受信された前記測定結果の報告に基づいて前記通信デバイスについての前記サブキャリア間隔を選択するように、前記送信機及び前記受信機とともに構成される、請求項１に記載の通信デバイス。
【請求項９】
前記ダウンリンク制御メッセージが、ランダムアクセス手順の一部として送信される、請求項３に記載の通信デバイス。
【請求項１０】
前記複数の異なる前記サブキャリア間隔が、３．７５ｋＨｚ及び１５ｋＨｚの２つのサブキャリア間隔を含み、前記３．７５ｋＨｚのサブキャリア間隔の前記標識は、前記通信デバイスが、単一サブキャリア上で、前記データを表す前記信号を送信、又は前記データを表す前記信号を受信すべきであることを示し、前記１５ｋＨｚのサブキャリアの前記標識は、前記通信デバイスが、単一サブキャリア又は複数サブキャリア上で、前記データを表す前記信号を送信、又は前記データを表す前記信号を受信すべきであることを示す、請求項１に記載の通信デバイス。
【請求項１１】
モバイル通信ネットワークのインフラ機器へ信号を送信し、及び／又はインフラ機器から信号を受信するように構成される通信デバイスであって、前記通信デバイスが、
ワイヤレスアクセスインタフェースに従って前記インフラ機器により送信される信号を受信するように構成される受信機と、
前記ワイヤレスアクセスインタフェースに従って前記インフラ機器に信号を送信するように構成される送信機と、
前記送信機及び前記受信機を制御して、前記ワイヤレスアクセスインタフェースのアップリンクを介して前記インフラ機器にデータを送信し、又は前記ワイヤレスアクセスインタフェースの前記ダウンリンク上でデータを受信するように構成されるコントローラと、を備え、
前記ワイヤレスアクセスインタフェースが、前記データを表す信号を前記アップリンク上で送信するための、又は前記データを表す前記信号を前記ダウンリンク上で受信するための、複数の異なるサブキャリア間隔を提供することができ、前記コントローラが、前記送信機及び前記受信機と組み合わせて、
前記通信デバイスによって要求されるサブキャリア間隔を表すプリアンブルの予め定められたセット、及び単一サブキャリア又は複数サブキャリアに対する要求のうちの１つを選択し、
ランダムアクセス手順の一部として、要求される前記キャリア間隔を表す前記プリアンブルを前記インフラ機器に送信し、
前記アップリンク上で前記データを送信するための前記送信機、又は前記ダウンリンク上で前記データを受信するための前記受信機のうちの１つを、要求される前記サブキャリア間隔に従って構成するように構成される、通信デバイス。
【請求項１２】
前記コントローラが、要求される前記サブキャリア間隔に依存して、要求される前記サブキャリア間隔を表す前記プリアンブルの予め定められたセット、及び単一サブキャリア又は複数サブキャリアに対する要求のうちの１つを選択するように構成される、請求項１１に記載の通信デバイス。
【請求項１３】
前記コントローラが、
前記アップリンク又は前記ダウンリンクの通信リソースを割り当てるダウンリンク制御メッセージを受信するように、前記送信機及び前記受信機とともに構成され、
前記ダウンリンク制御メッセージが、前記アップリンク又は前記ダウンリンク上において前記インフラ機器によって割り当てられる周波数リソースを示すフィールドを含み、前記コントローラが、前記インフラ機器によって割り当てられる前記周波数リソースを示す前記フィールドを、前記通信デバイスによって要求される前記サブキャリア間隔に従って、異なるように解釈するように構成される、請求項１１に記載の通信デバイス。
【請求項１４】
前記コントローラが、
前記インフラ機器から前記ワイヤレスアクセスインタフェースを介して受信される信号強度を測定し、
要求される前記サブキャリア間隔を、前記インフラ機器から受信される前記信号強度に基づいて識別するように、前記送信機及び前記受信機とともに構成される、請求項１１に記載の通信デバイス。
【請求項１５】
前記複数の異なる前記サブキャリア間隔が、３．７５ｋＨｚ及び１５ｋＨｚの２つのサブキャリア間隔を含み、前記３．７５ｋＨｚのサブキャリア間隔の前記標識は、前記通信デバイスが、単一サブキャリア上で、前記データを表す前記信号を送信又は前記データを表す前記信号を受信すべきであることを示し、前記１５ｋＨｚのサブキャリアの前記標識は、前記通信デバイスが、単一サブキャリア又は複数サブキャリア上で、前記データを表す前記信号を送信、又は前記データを表す前記信号を受信すべきであることを示す、請求項１１に記載の通信デバイス。
【請求項１６】
モバイル通信ネットワークを介して通信デバイスに、又は通信デバイスからデータを通信する方法であって、前記方法が、
データを表す信号を、前記通信デバイスからモバイル通信ネットワークの一部を形成するインフラ機器に、前記インフラ機器によって提供されるワイヤレスアクセスインタフェースのアップリンクを介して送信すること、又は、
データを表す信号を、前記通信デバイスにおいてインフラ機器から前記ワイヤレスアクセスインタフェースのダウンリンクを介して受信すること、を含み、
前記ワイヤレスアクセスインタフェースが、前記データを表す信号を前記アップリンク上で送信するための、又は前記データを表す前記信号を前記ダウンリンク上で受信するための、複数の異なるサブキャリア間隔を提供することができ、前記送信すること、又は前記受信することは、
前記インフラ機器が、前記アップリンク又は前記ダウンリンク上で、ワイヤレスアクセスインタフェースの通信リソースを提供するための要件を識別するときに、
前記通信デバイスが前記データを表す前記信号を送信又は受信するために使用するべき、前記複数の異なるサブキャリア間隔のうちの１つの、前記ワイヤレスアクセスインタフェースのダウンリンク上の標識を受信することを含み、示される前記サブキャリア間隔もまた、前記通信デバイスが単一サブキャリアを使用すべきか、あるいは複数サブキャリアを使用すべきかを決定する、方法。
【請求項１７】
モバイル通信ネットワークを介して通信デバイスに、又は通信デバイスからデータを通信する方法であって、前記方法が、
データを表す信号を、前記通信デバイスからモバイル通信ネットワークの一部を形成するインフラ機器に、前記インフラ機器によって提供されるワイヤレスアクセスインタフェースのアップリンクを介して送信すること、又は、
データを表す信号を、前記通信デバイスにおいてインフラ機器から前記ワイヤレスアクセスインタフェースのダウンリンクを介して受信すること、を含み、
前記ワイヤレスアクセスインタフェースが、前記データを表す信号を前記アップリンク上で送信するための、又は前記データを表す前記信号を前記ダウンリンク上で受信するための、複数の異なるサブキャリア間隔を提供することができ、前記送信すること、又は前記受信することが、
前記通信デバイスによって要求されるサブキャリア間隔を表すプリアンブルの予め定められたセットのうちの１つを選択することと、
ランダムアクセス手順の一部として、要求される前記キャリア間隔を表す前記プリアンブルを前記インフラ機器に送信することと、
要求される前記サブキャリア間隔に従って、前記アップリンク上で前記データを送信すること、又は前記ダウンリンク上で前記データを受信することと、を含む、方法。
【請求項１８】
通信デバイスへ信号を送信し、又は通信デバイスから信号を受信するためのモバイル通信ネットワークの一部を形成するインフラ機器であって、前記インフラ機器が、
前記通信デバイスのうちの１つ以上に、前記インフラ機器によって形成されるワイヤレスアクセスインタフェースに従って信号を送信するように構成される送信機と、
前記通信デバイスのうちの１つ以上によって送信される信号を、前記ワイヤレスアクセスインタフェースに従って受信するように構成される受信機と、
前記送信機及び前記受信機を制御して、前記ワイヤレスアクセスインタフェースのアップリンクを介してデータを前記通信デバイスのうちの１つ以上に送信し、又は前記ワイヤレスアクセスインタフェースのダウンリンクを介して前記１つ以上の通信デバイスからデータを受信するように構成されるコントローラと、を備え、
前記ワイヤレスアクセスインタフェースが、前記データを表す信号をアップリンク上で前記１つ以上の通信デバイスから受信するための、又は前記データを表す信号をダウンリンク上で前記１つ以上の通信デバイスに送信するための、複数の異なるサブキャリア間隔を提供され、前記コントローラが、前記送信機及び前記受信機と組み合わせて、
前記ワイヤレスアクセスインタフェースの通信リソースを前記アップリンク又は前記ダウンリンク上で前記通信デバイスのうちの１つに提供するための要件を識別し、
前記複数の異なるサブキャリア間隔のうちの１つを選択し、選択される前記サブキャリア間隔もまた、前記通信デバイスが単一サブキャリアを使用するべきか、あるいは複数サブキャリアを使用するべきかを決定し、
前記通信デバイスが前記データを表す前記信号を送信又は受信するために使用するべき、前記複数の異なるサブキャリア間隔のうちの１つの、前記ワイヤレスアクセスインタフェースのダウンリンク上の標識を送信し、示される前記サブキャリア間隔もまた、前記通信デバイスが単一サブキャリアを使用すべきか、あるいは複数サブキャリアを使用すべきかを識別するように構成される、インフラ機器。
【請求項１９】
前記コントローラが、複数の利用可能なサブキャリアのうちのどの前記サブキャリアを、示される前記サブキャリア間隔で、前記通信デバイスが信号を送信するため、若しくは前記データを表す信号を受信するために使用すべきか、又は、どの複数の利用可能なサブキャリアを、示される前記サブキャリア間隔で、前記通信デバイスが信号を送信するため、若しくは前記データを表す信号を受信するために使用すべきかの標識を、示される前記サブキャリア間隔に依存して、前記通信デバイスに送信するように、前記送信機とともに構成される、請求項１８に記載のインフラ機器。
【請求項２０】
前記コントローラが、使用する前記サブキャリア又は複数のサブキャリアの前記標識とともに前記サブキャリア間隔の前記標識を、前記サブキャリア間隔を示すフィールド及び使用する前記サブキャリア又は複数のサブキャリアを示すフィールドを含むダウンリンク制御メッセージ内において、前記通信デバイスに送信するように、前記送信機とともに構成され、
前記コントローラが、前記サブキャリア又は複数のサブキャリアのどれを使用するかを示す前記フィールドを、前記サブキャリア間隔を示す前記フィールドが、単一サブキャリアとしてのみ使用され得るサブキャリア間隔を示すか、あるいは単一サブキャリア又は複数サブキャリアとして使用され得るサブキャリア間隔を示すかに依存して、異なるように選択するように構成される、請求項１９に記載のインフラ機器。
【請求項２１】
前記サブキャリア又は複数のサブキャリアのどれを使用するかを前記サブキャリア間隔の関数として示す前記フィールドが、前記インフラ機器と前記通信デバイスとの間で予め定められ、テーブルとして表され得る、請求項２０に記載のインフラ機器。
【請求項２２】
前記コントローラが、前記サブキャリア又は複数のサブキャリアのどれを使用するかを前記サブキャリアの関数として示す前記フィールドの前記解釈を、ブロードキャストシステム情報の一部として送信するように、前記送信機とともに構成される、請求項２０に記載のインフラ機器。
【請求項２３】
前記ダウンリンク制御メッセージが、前記データ送信時に前記通信デバイスによって、使用されるべき変調方式、使用されるべき符号化方式、及び使用されるべきトランスポートブロックサイズのうちの１つ以上の標識を含み、前記コントローラが、使用する前記変調方式、前記符号化方式、及び前記トランスポートブロックサイズのうちの１つ以上の前記標識を、示される前記サブキャリア間隔に依存して異なるように設定するように構成される、請求項１８に記載のインフラ機器。
【請求項２４】
前記送信機と組み合わせた前記コントローラが、示される前記サブキャリア間隔に依存した、前記変調方式、前記符号化方式、及び前記トランスポートブロックサイズのうちの１つ以上の前記標識の前記異なる解釈を、ブロードキャストシステム情報の一部として送信するように構成される、請求項２３に記載のインフラ機器。
【請求項２５】
前記コントローラが、
前記通信デバイスから測定結果報告を受信し、前記測定結果報告が、前記通信デバイスによって前記インフラ機器から前記ワイヤレスアクセスインタフェースを介して受信される信号強度の標識を提供し、
前記通信デバイスについての前記サブキャリア間隔を、受信される前記測定結果報告に基づいて選択するように、前記送信機及び前記受信機とともに構成される、請求項１３に記載のインフラ機器。
【請求項２６】
前記ダウンリンク制御メッセージが、ランダムアクセス手順の一部として送信されるリソース割り当てメッセージである、請求項１８に記載のインフラ機器。
【請求項２７】
前記複数の異なる前記サブキャリア間隔が、３．７５ｋＨｚ及び１５ｋＨｚの２つのサブキャリア間隔を含み、前記３．７５ｋＨｚのサブキャリア間隔の前記標識は、前記通信デバイスが、単一サブキャリア上で、前記信号を送信し又は前記データを表す前記信号を受信すべきであることを示し、前記１５ｋＨｚのサブキャリアの前記標識は、前記通信デバイスが、単一サブキャリア又は複数サブキャリア上で、前記データを表す前記信号を送信し、又は前記データを表す前記信号を受信すべきであることを示す、請求項１８に記載のインフラ機器。
【請求項２８】
通信デバイスへ信号を送信し、又は通信デバイスから信号を受信するためのモバイル通信ネットワークの一部を形成するインフラ機器であって、前記インフラ機器が、
前記通信デバイスのうちの１つ以上に、前記インフラ機器によって形成されるワイヤレスアクセスインタフェースに従って信号を送信するように構成される送信機と、
前記通信デバイスのうちの１つ以上によって送信される信号を、前記ワイヤレスアクセスインタフェースに従って受信するように構成される受信機と、
前記送信機及び前記受信機を制御して、前記ワイヤレスアクセスインタフェースのアップリンクを介してデータを前記通信デバイスのうちの１つ以上に送信し、又は前記ワイヤレスアクセスインタフェースのダウンリンクを介して前記１つ以上の通信デバイスからデータを受信するように構成される、コントローラと、を備え、
前記ワイヤレスアクセスインタフェースが、前記データを表す信号をアップリンク上で前記１つ以上の通信デバイスから受信するための、又は前記データを表す信号をダウンリンク上で前記１つ以上の通信デバイスに送信するための、複数の異なるサブキャリア間隔を提供され、前記コントローラが、前記送信機及び前記受信機と組み合わせて、
前記アップリンク又は前記ダウンリンク上の前記ワイヤレスアクセスインタフェースの通信リソースを要求するランダムアクセス手順の一部として、前記複数の異なるサブキャリア間隔のうちの１つを使用して、プリアンブルを前記通信デバイスのうちの１つから受信し、選択される前記サブキャリア間隔もまた、前記通信デバイスが単一サブキャリアを使用すべきか、あるいは複数サブキャリアを使用すべきかを決定し、
要求される前記キャリア間隔に従って、前記ダウンリンク上で信号を送信し、又は前記アップリンク上で信号を受信するように構成される、インフラ機器。
【請求項２９】
モバイル通信ネットワークの一部を形成するインフラ機器から通信デバイスへデータを送信し、又は前記インフラ機器において通信デバイスからデータを受信する方法であって、前記方法が、
前記データを表す信号を、前記インフラ機器によって形成されるワイヤレスアクセスインタフェースに従って、前記ワイヤレスアクセスインタフェースのダウンリンク上で前記通信デバイスに送信すること、又は、
前記通信デバイスによって送信される前記データを表す信号を、前記ワイヤレスアクセスインタフェースに従って受信すること、を含み、
前記ワイヤレスアクセスインタフェースが、前記データを表す前記信号を前記ワイヤレスアクセスインタフェースのダウンリンク上で、前記通信デバイスのうちの１つ以上に送信するための、又は、前記データを表す前記信号を前記１つ以上の通信デバイスからアップリンク上で受信するための、複数の異なるサブキャリア間隔を提供され、前記送信すること、又は前記受信することが、
前記複数の異なるサブキャリア間隔のうちの１つを選択し、選択される前記サブキャリア間隔もまた、前記通信デバイスが単一サブキャリアを使用するべきか、あるいは複数サブキャリアを使用するべきかを決定することと、
前記通信デバイスが前記データを表す前記信号を送信し、又は前記データを表す前記信号を受信するために使用するべき、前記複数の異なるサブキャリア間隔のうちの１つの、前記ワイヤレスアクセスインタフェースのダウンリンク上の標識を送信することと、を含み、示される前記サブキャリア間隔もまた、前記通信デバイスが単一サブキャリアを使用すべきか、あるいは複数サブキャリアを使用すべきかを識別する、方法。
【請求項３０】
モバイル通信ネットワークの一部を形成するインフラ機器から通信デバイスへデータを送信し、又は前記インフラ機器において通信デバイスからデータを受信する方法であって、前記方法が、
前記データを表す信号を、前記インフラ機器によって形成されるワイヤレスアクセスインタフェースに従って、前記ワイヤレスアクセスインタフェースのダウンリンク上で前記通信デバイスに送信すること、又は、
前記通信デバイスによって送信される前記データを表す信号を、前記ワイヤレスアクセスインタフェースに従って受信すること、を含み、
前記ワイヤレスアクセスインタフェースが、前記データを表す前記信号を前記ワイヤレスアクセスインタフェースのダウンリンク上で、前記通信デバイスのうちの１つ以上に送信するための、又は、前記データを表す前記信号を前記１つ以上の通信デバイスからアップリンク上で受信するための、複数の異なるサブキャリア間隔を提供され、前記送信すること、又は前記受信することが、
前記アップリンク又は前記ダウンリンク上の前記ワイヤレスアクセスインタフェースの通信リソースを要求するランダムアクセス手順の一部として、前記複数の異なるサブキャリア間隔のうちの１つを使用して、プリアンブルを前記通信デバイスのうちの１つから受信することであって、選択される前記サブキャリア間隔もまた、前記通信デバイスが単一サブキャリアを使用すべきか、あるいは複数サブキャリアを使用すべきかを決定することと、
要求される前記キャリア間隔に従って、前記ダウンリンク上で信号を送信し、又は前記アップリンク上で信号を受信することと、を含む、方法。
【請求項３１】
モバイル通信ネットワークのインフラ機器へ信号を送信し、及び／又はインフラ機器から信号を受信する通信デバイスのための回路であって、前記回路が、
ワイヤレスアクセスインタフェースに従って前記インフラ機器により送信される信号を受信するように構成される受信機回路と、
前記ワイヤレスアクセスインタフェースに従って前記インフラ機器に信号を送信するように構成される送信機回路と、
前記送信機及び前記受信機を制御して、前記ワイヤレスアクセスインタフェースのアップリンクを介して前記インフラ機器にデータを送信し、又は前記ワイヤレスアクセスインタフェースの前記ダウンリンク上でデータを受信するように構成されるコントローラ回路と、を備え、
前記ワイヤレスアクセスインタフェースが、前記データを表す信号を送信するための複数の異なるサブキャリア間隔を提供することができ、前記コントローラ回路が、前記送信機回路及び前記受信機回路と組み合わせて、
前記インフラ機器が、前記通信デバイスが前記インフラ機器にデータを送信するための前記アップリンク上で、又は前記通信デバイスが前記インフラ機器からデータを受信するための前記ダウンリンク上で、前記ワイヤレスアクセスインタフェースの通信リソースを提供するための要件を識別するときに、前記通信デバイスが前記データを表す前記信号を送信又は受信するために使用するべき、前記複数の異なるサブキャリア間隔のうちの１つの前記ワイヤレスアクセスインタフェースのダウンリンク上で標識を受信するように構成され、示される前記サブキャリア間隔もまた、前記通信デバイスが単一サブキャリアを使用すべきか、あるいは複数サブキャリアを使用すべきかを決定する、回路。
【請求項３２】
通信ネットワークの一部を形成するインフラ機器のための回路であって、前記回路が、
前記通信デバイスのうちの１つ以上に、前記インフラ機器によって形成されるワイヤレスアクセスインタフェースに従って信号を送信するように構成される送信機回路と、
前記通信デバイスのうちの１つ以上によって送信される信号を、前記ワイヤレスアクセスインタフェースに従って受信するように構成される受信機回路と、
前記送信機及び前記受信機を制御して、前記ワイヤレスアクセスインタフェースのアップリンクを介してデータを前記通信デバイスのうちの１つ以上に送信し、又は前記ワイヤレスアクセスインタフェースのダウンリンクを介して前記１つ以上の通信デバイスからデータを受信するように構成される、コントローラ回路と、を備え、
前記ワイヤレスアクセスインタフェースが、前記データを表す信号をアップリンク上で前記１つ以上の通信デバイスから受信するための、又は前記データを表す信号をダウンリンク上で前記１つ以上の通信デバイスに送信するための、複数の異なるサブキャリア間隔を提供され、前記コントローラ回路が、前記送信機回路及び前記受信機回路と組み合わせて、
前記ワイヤレスアクセスインタフェースの通信リソースを前記アップリンク又は前記ダウンリンク上で前記通信デバイスのうちの１つに提供するための要件を識別し、
前記複数の異なるサブキャリア間隔のうちの１つを選択し、選択される前記サブキャリア間隔もまた、前記通信デバイスが単一サブキャリアを使用するべきか、あるいは複数サブキャリアを使用するべきかを決定し、
前記通信デバイスが前記データを表す前記信号を送信又は受信するために使用するべき、前記複数の異なるサブキャリア間隔のうちの１つの、前記ワイヤレスアクセスインタフェースのダウンリンク上の標識を送信するように構成され、示される前記サブキャリア間隔もまた、前記通信デバイスが単一サブキャリアを使用すべきか、あるいは複数サブキャリアを使用すべきかを識別する、回路。
【請求項３３】
請求項１８に記載のインフラ機器を含む、ワイヤレス通信ネットワーク。
【請求項３４】
モバイル通信ネットワークのインフラ機器へ信号を送信し、及び／又はインフラ機器から信号を受信するように構成される通信デバイスであって、前記通信デバイスが、
ワイヤレスアクセスインタフェースに従って前記インフラ機器により送信される信号を受信するように構成される受信機と、
前記ワイヤレスアクセスインタフェースに従って前記インフラ機器に信号を送信するように構成される送信機と、
前記送信機及び前記受信機を制御して、前記ワイヤレスアクセスインタフェースのアップリンクを介して前記インフラ機器にデータを送信し、又は前記ワイヤレスアクセスインタフェースの前記ダウンリンク上でデータを受信するように構成されるコントローラと、を備え、
前記ワイヤレスアクセスインタフェースが、前記アップリンク及び前記ダウンリンク上での前記通信デバイスへの割り当てのための通信リソースを含み、前記通信リソースが、そのうちの１つ以上が前記通信デバイスに割り当てられ得る所定の数のサブキャリアの周波数リソースと、前記ワイヤレスアクセスインタフェースが所定の時間単位に分割される時間リソースとを含み、前記コントローラが、送信機及び受信機と組み合わせて、
前記インフラ機器が、前記アップリンク又は前記ダウンリンク上で前記ワイヤレスアクセスインタフェースの通信リソースを提供するための要件を識別するときに、前記データを受信又は送信するための前記通信デバイスに割り当てられる前記サブキャリアのうちの１つ以上の前記ワイヤレスアクセスインタフェースのダウンリンク上の標識を受信するように構成され、送信時間間隔が、その中において前記データのトランスポートブロックが送信又は受信されるべき、前記時間単位の数を表し、前記送信時間間隔が、前記時間単位の数につれて変化し得る、通信デバイス。
【請求項３５】
前記受信機が、割り当てられる前記送信時間間隔を示すフィールドを含むダウンリンク制御メッセージにおいて、前記データを受信又は送信するための前記通信デバイスに割り当てられる前記サブキャリアのうちの前記１つ以上の前記標識と、前記送信時間間隔とを、受信するように構成される、請求項３４に記載の通信デバイス。
【請求項３６】
前記ダウンリンク制御メッセージが、使用されるべき変調方式、使用されるべき符号化方式、及び使用されるべきトランスポートブロックサイズのうちの１つ以上の標識を含み、前記コントローラが、前記変調方式、前記符号化方式、及び前記トランスポートブロックサイズのうちの１つ以上の前記標識を、前記送信時間間隔を決定するために割り当てられる１つ以上のサブキャリアの前記数で、解釈するように構成される、請求項２６に記載の通信デバイス。
【請求項３７】
前記ダウンリンク制御メッセージが、使用されるべき変調及び符号化方式のインデックス及び等価な物理リソースブロック数の標識を含み、前記コントローラが、前記変調及び符号化方式、並びに前記等価な物理リソースブロック数の前記標識を解釈してトランスポートブロックサイズを決定し、割り当てられる前記１つ以上のサブキャリアの前記数と組み合わせて、前記送信時間間隔を決定するように構成される、請求項３６に記載の通信デバイス。
【請求項３８】
前記送信時間間隔が、前記時間単位の整数倍数であり、かつ、割り当てられる前記サブキャリアの数によって割られる、前記インフラ機器によって割り当てられ得る前記１つ以上のサブキャリアの前記数である、請求項３５に記載の通信デバイス。
【請求項３９】
前記送信時間間隔が、送信又は受信のために前記通信デバイスに割り当てられる前記１つ以上のサブキャリアの前記数の関数として変化する、請求項３５に記載の通信デバイス。
【請求項４０】
前記ダウンリンク制御メッセージが、リソース割り当てメッセージ又はランダムアクセス応答メッセージの一部を形成する、請求項３４に記載の通信デバイス。
【請求項４１】
モバイル通信ネットワークを介して通信デバイスに、又は通信デバイスからデータを通信する方法であって、前記方法が、
データを表す信号を、前記通信デバイスからモバイル通信ネットワークの一部を形成するインフラ機器に、前記インフラ機器によって提供されるワイヤレスアクセスインタフェースのアップリンクを介して送信すること、又は、
データを表す信号を、前記通信デバイスにおいてインフラ機器から前記ワイヤレスアクセスインタフェースのダウンリンクを介して受信すること、を含み、前記送信すること、又は前記受信することが、
前記インフラ機器が、前記アップリンク又は前記ダウンリンク上で、ワイヤレスアクセスインタフェースの通信リソースを提供するための要件を識別するときに、前記データを送信又は受信するために前記通信デバイスに割り当てられる前記サブキャリアのうちの１つ以上の前記ワイヤレスアクセスインタフェースのダウンリンク上の標識を受信することを含み、
送信時間間隔が、その中において前記データのトランスポートブロックが送信又は受信されるべき前記時間単位の数を表し、前記送信時間間隔が、前記時間単位の数につれて変化する、方法。
【請求項４２】
前記送信時間間隔が前記時間単位の数につれて変化することが、前記送信時間間隔を、送信又は受信のために前記通信デバイスに割り当てられる前記１つ以上のサブキャリアの前記数の関数として変化させることを含む、請求項４１に記載の方法。
【請求項４３】
通信デバイスへ信号を送信し、又は通信デバイスから信号を受信するためのモバイル通信ネットワークの一部を形成するインフラ機器であって、前記インフラ機器が、
前記通信デバイスのうちの１つ以上に、前記インフラ機器によって形成されるワイヤレスアクセスインタフェースに従って信号を送信するように構成される送信機と、
前記通信デバイスのうちの１つ以上によって送信される信号を、前記ワイヤレスアクセスインタフェースに従って受信するように構成される受信機と、
前記送信機及び前記受信機を制御して、前記ワイヤレスアクセスインタフェースを介して、データを前記通信デバイスのうちの１つ以上に送信し、又はデータを前記１つ以上の通信デバイスから受信するように構成される、コントローラと、を備え、
前記ワイヤレスアクセスインタフェースが、前記アップリンク及び前記ダウンリンク上での前記通信デバイスへの割り当てのための通信リソースを含み、前記通信リソースが、そのうちの１つ以上が前記通信デバイスに割り当てられ得る所定の数のサブキャリアの周波数リソースと、前記ワイヤレスアクセスインタフェースが所定の時間単位に分割される時間リソースとを含み、前記コントローラが、前記送信機及び前記受信機と組み合わせて、
前記ワイヤレスアクセスインタフェースの通信リソースを前記アップリンク又は前記ダウンリンク上で前記通信デバイスのうちの１つに提供するための要件を識別し、
前記通信デバイスに割り当てられるべき前記ワイヤレスアクセスインタフェースの前記サブキャリアの数を決定し、
データを前記通信デバイスに送信し、又はデータを前記通信デバイスから受信するための送信時間間隔を、前記通信デバイスに割り当てられる前記１つ以上のサブキャリアの前記数の関数として決定し、
前記データを受信又は送信するために前記通信デバイスに割り当てられる前記１つ以上のサブキャリアの前記ワイヤレスアクセスインタフェースのダウンリンク上の標識を送信するように構成され、前記送信時間間隔が、その中において前記データのトランスポートブロックが送信又は受信されるべき前記時間単位の数を表し、前記送信時間間隔が、前記時間単位の数につれて変化する、インフラ機器。
【請求項４４】
モバイル通信ネットワークの一部を形成するインフラ機器から通信デバイスへデータを送信し、又は前記インフラ機器において通信デバイスからデータを受信する方法であって、前記方法が、
前記データを表す信号を、前記インフラ機器によって形成されるワイヤレスアクセスインタフェースに従って、前記ワイヤレスアクセスインタフェースのダウンリンク上で前記通信デバイスに送信すること、又は、
前記通信デバイスによって送信される前記データを表す信号を、前記ワイヤレスアクセスインタフェースに従って受信すること、を含み、
前記ワイヤレスアクセスインタフェースが、前記アップリンク及び前記ダウンリンク上での前記通信デバイスへの割り当てのための通信リソースを含み、前記通信リソースが、そのうちの１つ以上が前記通信デバイスに割り当てられ得る所定の数のサブキャリアの周波数リソースと、前記ワイヤレスアクセスインタフェースが所定の時間単位に分割される時間リソースとを含み、前記データを表す前記信号を前記送信すること、又は受信することが、
前記ワイヤレスアクセスインタフェースの通信リソースを前記アップリンク又は前記ダウンリンク上で前記通信デバイスのうちの１つに提供するための要件を識別することと、
前記通信デバイスに割り当てられるべき前記ワイヤレスアクセスインタフェースの前記サブキャリアの数を決定することと、
データを前記通信デバイスに送信し、又はデータを前記通信デバイスから受信するための送信時間間隔を、前記通信デバイスに割り当てられる前記１つ以上のサブキャリアの前記数の関数として決定することと、
前記データを受信又は送信するために前記通信デバイスに割り当てられる前記１つ以上のサブキャリアの前記ワイヤレスアクセスインタフェースのダウンリンク上の標識を送信することと、を含み、前記送信時間間隔が、その中において前記データのトランスポートブロックが送信又は受信されるべき前記時間単位の数を表し、前記送信時間間隔が、前記時間単位の数につれて変化する、方法。
【発明の詳細な説明】
【技術分野】
【０００１】
本出願は、参照によりここにその内容が組み込まれる、欧州特許出願第１６１５０８２３．９号のパリ条約優先権を主張する。
【０００２】
本開示は、ワイヤレスアクセスインタフェースを介して、モバイル通信ネットワークのインフラ機器へアップリンク信号を送信し、及び／又はインフラ機器からダウンリンク信号を受信するように構成される、通信デバイスに関する。ワイヤレスアクセスインタフェースは、アップリンク上において複数の異なるサブキャリア間隔を含むように構成される。本技術は、また、インフラ機器及び通信方法に関する。
【背景技術】
【０００３】
ここで提供される「背景」の説明は、本開示の背景状況を全般的に提示するためのものである。現在名前を挙げられている発明者の仕事は、この背景の項目において説明される範囲に限り、出願時点で従来技術と見なすことができない説明の態様と同様に、明示的にも暗示的にも、本発明に対する従来技術と認められない。
【０００４】
３ＧＰＰ（the  third  generation  project  partnership）定義のＵＭＴＳ及びＬＴＥ（Long  Term  Evolution）アーキテクチャに基づくものなどの第３世代及び第４世代のワイヤレス通信システムは、高速インターネットアクセスはもちろん、インスタントメッセージ、ビデオ通話などの高度なサービスをサポートすることができる。例えば、ＬＴＥシステムによって提供される改善された無線インタフェース及び拡張されたデータレートで、ユーザは、以前は固定回線データ接続を介してのみ利用可能であったモバイルビデオストリーミング及びモバイルビデオ会議などの高データレートアプリケーションを楽しむことができる。したがって、第３世代及び第４世代ネットワークを展開するための要求は強く、これらのネットワークのカバレッジエリア、即ちネットワークにアクセス可能な地理的位置が、急速に拡大することが期待されている。一方、第４世代ネットワークが、スマートフォン及びタブレットコンピュータなどのデバイスからの高いデータレート及び低いレイテンシでの通信をサポートし得る一方で、将来のワイヤレス通信ネットワークは、複雑性が低下されたデバイス、マシンタイプ通信デバイス、可動性をほとんど又は全く必要としないデバイス、高解像度ビデオディスプレイ及び仮想現実ヘッドセットを含む、非常に広範囲のデバイスへの、及びデバイスからの通信をサポートする必要があることが予期される。したがって、そのような広範囲の通信デバイスをサポートすることが、ワイヤレス通信ネットワークについての技術的挑戦を表し得る。
【０００５】
ワイヤレス及びモバイル通信の分野に従事する者に現在関心のある技術領域は、「モノのインターネット」、即ち、略してＩｏＴという。３ＧＰＰは、ＬＴＥ又は４Ｇワイヤレスアクセスインタフェース及びワイヤレスインフラを使用した狭帯域（ＮＢ−）ＩｏＴをサポートするための技術を開発するように提案している。そのようなＩｏＴデバイスは、比較的低い帯域幅のデータの低頻度の通信を必要とする、低複雑性かつ安価なデバイスであることが予期される。サポートされる必要があることになる極めて多数のＩｏＴデバイスが、ワイヤレス通信ネットワークのセル内に存在することも予期される。さらに、そのようなＮＢ−ＩｏＴデバイスは、無線通信を困難にする屋内及び／又は遠隔の場所に配備されると見られる。
【発明の概要】
【課題を解決するための手段】
【０００６】
本技術の１つの例としての実施形態によれば、通信デバイスは、モバイル通信ネットワークのインフラ機器に信号を送信し、及び／又はインフラ機器から信号を受信するように構成される。通信デバイスは、受信機、送信機、及びコントローラを備える。受信機は、ワイヤレスアクセスインタフェースに従ってインフラ機器により送信される信号を受信するように構成され、送信機は、ワイヤレスアクセスインタフェースに従って、信号をインフラ機器に送信するように構成され、コントローラは、送信機及び受信機を制御して、ワイヤレスアクセスインタフェースのアップリンクを介してインフラ機器にデータを送信し、又はワイヤレスアクセスインタフェースのダウンリンク上でデータを受信するように構成される。ワイヤレスアクセスインタフェースが、データを表す信号をアップリンク上で送信するための、又はデータを表す信号をダウンリンク上で受信するための、複数の異なるサブキャリア間隔を提供することができる。コントローラは、送信機及び受信機と組み合わせて、インフラ機器が、通信デバイスがインフラ機器にデータを送信するためのアップリンク上で、又は通信デバイスがインフラ機器からデータを受信するためのダウンリンク上で、ワイヤレスアクセスインタフェースの通信リソースを提供するための要件を識別するときに、通信デバイスがデータを表す信号を送信又は受信するために使用するべき、複数の異なるサブキャリア間隔のうちの１つのワイヤレスアクセスインタフェースのダウンリンク上での標識を受信するように構成され、示されるサブキャリア間隔もまた、通信デバイスが単一サブキャリアを使用すべきか、あるいは複数サブキャリアを使用すべきかを決定する。
【０００７】
本技術の実施形態は、サブキャリア間隔が、通信リソースに対する要求に応じて、通信デバイスのために、単一サブキャリア動作に制限され得るインフラ機器によって選択され得る構成を提供し得る。それが、複数のサブキャリア割り当てと比較してデータ通信帯域幅を減少させるにもかかわらず、送信される信号のパワースペクトル密度を増加させることによってワイヤレス通信のレンジを増加させ得る。その結果、改善されたアップリンク通信が、例えば、屋内に位置する通信デバイスに提供され得る。
【０００８】
本技術の別の例としての実施形態によれば、モバイル通信ネットワークのインフラ機器に信号を送信し、及び／又はインフラ機器から信号を受信するように構成される通信デバイスが提供される。通信デバイスは、ワイヤレスアクセスインタフェースに従ってインフラ機器により送信される信号を受信するように構成される受信機と、ワイヤレスアクセスインタフェースに従ってインフラ機器に信号を送信するように構成される送信機と、送信機及び受信機を制御して、ワイヤレスアクセスインタフェースのアップリンクを介してインフラ機器にデータを送信し、又はワイヤレスアクセスインタフェースのダウンリンク上でデータを受信するように構成されるコントローラと、を備える。ワイヤレスアクセスインタフェースが、アップリンク及びダウンリンク上での通信デバイスへの割り当てのための通信リソースを含み、通信リソースが、そのうちの１つ以上が通信デバイスに割り当てられ得る所定の数のサブキャリアの周波数リソースと、ワイヤレスアクセスインタフェースが所定の時間単位に分割される時間リソースとを含む。通信デバイスは、インフラ機器が、アップリンク又はダウンリンク上でワイヤレスアクセスインタフェースの通信リソースを提供するための要件を識別するときに、データを受信又は送信するために通信デバイスに割り当てられるサブキャリアのうちの１つ以上のワイヤレスアクセスインタフェースのダウンリンク上の標識を受信するように構成され、送信時間間隔が、その中においてデータのトランスポートブロックが送信又は受信されるべき、時間単位の数を表し、送信時間間隔が、割り当てられる通信リソース、例えば、通信デバイスに割り当てられる１つ以上のサブキャリアの数の関数として、時間単位の数につれて変化し得る。
【０００９】
本技術のさらなる態様の実施形態は、所与のトランスポートブロックについて、送信時間間隔が、例えば、所定の最大数のうち通信デバイスに割り当てられているワイヤレスアクセスインタフェースの１つ以上のサブキャリアの数に依存して変化し得るために、通信デバイスに割り当てられているサブキャリアの数とともに送信時間間隔の標識を効率的にシグナリングするための、通信デバイス及びインフラ機器の構成を提供し得る。以下に提示される実施形態による、送信時間間隔をシグナリングするための例としての技術が、使用されるべき送信時間間隔を通信デバイスに示すための通信リソースの効率的な使用をもたらし得る。
【００１０】
さらなるそれぞれの態様及び特徴が、添付の特許請求の範囲によって定義される。
【００１１】
上述の段落は、概略導入として提供されており、以下の特許請求の範囲を限定することを意図するものではない。説明される実施形態は、さらなる利点と共に、添付図面と合わせて取られる以下の詳細な説明を参照することにより、最もよく理解されるであろう。
【図面の簡単な説明】
【００１２】
添付図面に関連して考慮されるときに以下の詳細な説明を参照することにより、同様のものがさらに理解されるようになると、本開示及びその付随する利点の多くのより完全な理解が、容易に得られるであろう。添付図面においては、同様の参照番号が、複数の図面全体を通して同一又は対応する部分を示している。
【００１３】
【図１】モバイル通信システムの例を示す概略ブロック図である。
【図２】ＬＴＥ標準によるワイヤレスアクセスインタフェースのダウンリンクのフレーム構造を示す、概略表現である。
【図３】ＬＴＥ標準によるワイヤレスアクセスインタフェースのアップリンクのフレーム構造を示す、概略表現である。
【図４】通信デバイス及びインフラ機器の部分概略ブロック図、アップリンクリソースを通信デバイスに許可すること、及び本技術による使用されるべきサブキャリア間隔を示すことのプロセスを示す部分メッセージフロー図である。
【図５】単一ビットフィールドがどのようにして３．７５ｋＨｚサブキャリア間隔又は１５ｋＨｚサブキャリア間隔のいずれかを示すために使用され得るかを示す、概略図である。
【図６】本技術による、通信デバイスがワイヤレス通信ネットワークのインフラ機器により選択されるサブキャリア間隔を検出する、例としてのプロセスを示すフロー図である。
【図７】図２に示されるダウンリンクフレーム構造を提示し、ＬＴＥワイヤレスアクセスインタフェースの１つの物理リソースブロック内のトランスポートブロックの送信も示す、概略ブロック図である。
【図８】インフラ機器によって通信デバイスに割り当てられるサブキャリアの４つの異なる例について、サブキャリアの数に従って変化する異なる送信時間間隔の概略表現である。
【図９】サブキャリア割り当ての３つの異なる例から生じる、３つの異なる長さの送信時間間隔（ＴＴＩ）を示す概略ブロック図である。
【図１０】ダウンリンク制御メッセージが、ダウンリンク上にリソースを割り当て、使用する送信時間間隔長の暗示的又は明示的な標識を提供する本技術による、インフラ機器と通信デバイスとの間の構成を示す、概略ブロック図である。
【発明を実施するための形態】
【００１４】
［従来の通信システム］
図１は、以下でさらに説明される本開示の実施形態を実装するように適合され得る、ＬＴＥの原理に従って動作するモバイル通信ネットワーク／システム１００のいくつかの基本機能性を示す概略図を提供する。図１の様々な要素、及びそれらのそれぞれの動作モードは、周知であり、３ＧＰＰ（ＲＴＭ）本体によって施行される関連した標準において定義され、さらに、主題についての多くの書籍、例えば、Ｈｏｌｍａ  Ｈ．及びＴｏｓｋａｌａ  Ａ［１］に記載されている。以下で特に説明されない通信ネットワークの動作態様は、任意の既知の技術に従って、例えば、関連する標準に従って実装され得ると理解されたい。
【００１５】
ネットワーク１００は、コアネットワーク１０２に接続される複数の基地局１０１を含む。各基地局は、カバレッジエリア１０３（即ち、セル）を提供し、カバレッジエリア１０３の範囲内で、通信デバイス１０４に、及び通信デバイス１０４からデータが通信され得る。データは、基地局１０１からそのそれぞれのカバレッジエリア１０３内の通信デバイス１０４に無線ダウンリンクを介して送信される。データは、通信デバイス１０４から基地局１０１へ無線アップリンクを介して送信される。アップリンク及びダウンリンク通信は、ネットワーク１００の運用者により、排他的使用に対して認可される無線リソースを使用して行われる。コアネットワーク１０２は、通信デバイス１０４へ、及び通信デバイス１０４から、データをそれぞれの基地局１０１を介してルーティングし、認証、移動管理、課金などの機能を提供する。通信デバイスは、モバイル局、ユーザ機器（ＵＥ）、ユーザデバイス、モバイル無線などとも呼ばれ得る。基地局は、送受信局／ＮｏｄｅＢ／ｅＮｏｄｅＢ（略してｅＮＢ）などとも呼ばれ得る。
【００１６】
３ＧＰＰ定義のＬＴＥ（Long  Term  Evolution）アーキテクチャに従って構成されたものなどのワイヤレス通信システムは、無線ダウンリンクのために直交周波数分割変調（ＯＦＤＭ）ベースのインタフェース（いわゆるＯＦＤＭＡ）、及び無線アップリンク上でＳＣ−ＦＤＭＡ（single  carrier  frequency  division  multiple  access  scheme）を使用する。
【００１７】
図２は、通信システムがＬＴＥ標準に従って動作しているときに、図１のｅＮＢによって、又はｅＮＢに関連して提供され得るワイヤレスアクセスインタフェースのダウンリンクの構造の簡略化した概略図を提供する。ＬＴＥシステムでは、ｅＮＢからＵＥへのダウンリンクのワイヤレスアクセスインタフェースは、ＯＦＤＭ（orthogonal  frequency  division  multiplexing）アクセス無線インタフェースに基づく。ＯＦＤＭインタフェースでは、利用可能な帯域幅のリソースは、複数の直交サブキャリアに周波数で分割され、データは、複数の直交サブキャリア上で並行して送信される。その場合に、１．２５ＭＨｚから２０ＭＨｚの間の帯域幅は、例えば、１２８から２０４８個の直交サブキャリアに分割され得る。各サブキャリアの帯域幅は、任意の値をとり得るが、ＬＴＥでは、従来通り１５ｋＨｚに固定されている。一方、アップリンク及びダウンリンクの双方のためのＬＴＥワイヤレスアクセスインタフェースのある部分について、３．７５ｋＨｚの減少されたサブキャリア間隔も提供することが、［２］［３］において将来的に提案されている。図２に示すように、ワイヤレスアクセスインタフェースのリソースもまた、フレームに一時的に分割され、その場合に、フレーム２００は、１０ｍｓ続き、それぞれが１ｍｓの期間を有する１０個のサブフレーム２０１にさらに分割される。各サブフレームは、１４個のＯＦＤＭシンボルから形成され、２つのスロットに分割される。各スロットは、ノーマル又は拡張サイクリックプレフィックスがシンボル間干渉の減少のためにＯＤＦＭシンボル間で利用されているかどうかに依存して、６個又は７個のＯＦＤＭシンボルを含む。スロット内のリソースは、それぞれが１スロットの期間内に１２個のサブキャリアを含むリソースブロック２０３に分割されてもよく、リソースブロックは、１個のＯＦＤＭシンボルについて１個のサブキャリアにわたるリソースエレメント２０４にさらに分割される。ここで、各長方形２０４は、リソースエレメントを表す。ＬＴＥワイヤレスアクセスインタフェースのダウンリンク構造のさらなる詳細については、添付１において提供される。
【００１８】
図３は、図１のｅＮＢによって、又はｅＮＢに関連して提供され得るＬＴＥワイヤレスアクセスインタフェースのアップリンクの構造の簡略化した概略図を提供する。ＬＴＥネットワークでは、アップリンクワイヤレスアクセスインタフェースは、ＳＣ−ＦＤＭ（single  carrier  frequency  division  multiplexing）インタフェースに基づき、ダウンリンク及びアップリンクワイヤレスアクセスインタフェースは、周波数分割複信（ＦＤＤ：frequency  division  duplexing）又は時分割複信（ＴＤＤ：time  division  duplexing）によって提供されてもよく、その場合に、ＴＤＤ実装では、サブフレームは、事前定義されたパターンに従って、アップリンク及びダウンリンクサブフレーム間で切り替えを行う。一方、使用される複信の形態に関わらず、共通のアップリンクフレーム構造が利用される。図３の簡略化された構造は、ＦＤＤ実装におけるそのようなアアップリンクフレームを示している。フレーム３００は、期間１ｍｓの１０個のサブフレーム３０１に分割され、各サブフレーム３０１は、期間０．５ｍｓの２個のスロットを含む。次いで、各スロットは、７個のＯＦＤＭシンボル３０３から形成され、その場合、サイクリックプレフィックス３０４が、ダウンリンクサブフレームにおけるのと同等の方式で、各シンボル間に挿入される。図３において、ノーマルサイクリックプレフィックスが使用され、したがって、サブフレーム内に７個のＯＦＤＭシンボルが存在するが、拡張サイクリックプレフィックスが使用される場合、各スロットは、ＯＦＤＭシンボルを６個だけ含むことになる。アップリンクサブフレームのリソースもまた、ダウンリンクサブフレームと類似の方式で、リソースブロック及びリソースエレメントに分割される。図３に表されるＬＴＥアップリンクのさらなる詳細が、添付１に提供される。
【００１９】
［狭帯域ＩｏＴ］
本技術の実施形態は、モバイル通信デバイス又はＵＥ１０４が、ワイヤレス通信システムにおいて基地局又はインフラ機器を介して通信するように動作し得る構成を提供し得る。通信デバイスは、データを表す信号をインフラ機器によって提供されるワイヤレスアクセスのアップリンク上でインフラ機器に送信し、又は、データを表す信号をワイヤレスアクセスインタフェースのダウンリンク上でインフラ機器から受信するように構成される。ワイヤレスアクセスインタフェースは、データを表す信号を送信又は受信するための、複数の異なるサブキャリア間隔を提供し得る。通信デバイスは、通信デバイスがデータを表す信号を送信又は受信するために使用するべき、複数の異なるサブキャリア間隔のうちの１つの、ワイヤレスアクセスインタフェースのダウンリンク上の標識を送信するように構成され、示されるサブキャリア間隔もまた、通信デバイスが単一サブキャリアを使用すべきか、あるいは複数サブキャリアを使用すべきかを決定する。このようにして、サブキャリア間隔は、通信デバイスのために、単一サブキャリア動作に制限され得るインフラ機器によって選択され得る。それが複数のサブキャリア割り当てと比較してデータ通信帯域幅を減少させるにもかかわらず、送信される信号のパワースペクトル密度を増加させることによってワイヤレス通信のレンジを増加させ得る。上で説明したように、この構成は、遠隔に位置される、及び／又は屋内のデバイス、特に、複雑性が低下されたもの、及びしたがって、低性能送信機、又はその上送信電力が制限されたものについて、アップリンク通信における改善をもたらし得る。
【００２０】
上で説明したように、ブロードバンドワイヤレス通信を提供するように開発されている既存のワイヤレスアクセスインタフェース内の狭帯域通信に対応するために、モバイル通信ネットワークのアダプテーションを開発することが提案されている。例えば、３ＧＰＰにおいて、狭帯域ＩｏＴ（ＮＢ−ＩｏＴ；Narrowband  Internet  of  Things）に提供するためのＬＴＥワイヤレスアクセスインタフェースに対する改善に関連するプロジェクトが、合意された［２］。このプロジェクトは、改善された屋内カバレッジにおいて、膨大な低スループットデバイス、低遅延感度、超低デバイスコスト、低デバイス電力消費、及び（最適化された）ネットワークアーキテクチャに対するサポートを目的とする。このようなデバイスの例が、スマートメータである。ＮＢ−ＩｏＴ通信システムが、１８０ｋＨｚの帯域幅のみをサポートし、３つの動作モードを有し得ることが提案されている。
１．「スタンドアロン動作」は、例えば、１つ以上のＧＳＭ搬送波の置き換えとして、ＧＥＲＡＮシステムにより現在使用されているスペクトルを利用する。
２．「保護周波数帯動作」は、ＬＴＥ搬送波の保護周波数帯の範囲内の未使用リソースブロックを利用する。
３．「インバンド動作」は、通常のＬＴＥ搬送波の範囲内のリソースブロックを利用する。
【００２１】
既知のＬＴＥシステムでは、最小アップリンクリソース粒度が、１つの物理リソースブロック（ＰＲＢ）であり、１つの物理リソースブロックは、１２個のサブキャリアを含む。一方、アップリンク信号がシングルトーン（単一サブキャリア）又はマルチトーン（複数サブキャリア）において送信され得る場合に、より細かいアップリンクリソース粒度が提供され得ることが、［３］において提案されている。シングルトーン送信は、ＵＥが、その電力を単一サブキャリア上に集めること（即ち、ＰＳＤブースト）を可能にし、それが、より大きな送信レンジを送信される信号に提供し得る。これは、大きなカバレッジ拡張動作にとって有益である。しかしながら、シングルトーン送信は、（周波数）リソースが制限されるため、少量の情報しか搬送できない。一方、複数のサブキャリア（最大で全てのＰＲＢ）を占有するマルチトーン送信は、より多くのリソースを有するが、電力は、複数のサブキャリア間に分散され、したがって、それは、シングルトーン送信のものと比較してより短いレンジを有する。シングルトーン送信を使用することは、それによってより多くのＵＥがワイヤレスアクセスインタフェースに同時にアクセスすることが可能となるために、システムのキャパシティを増加させることになる。したがって、本技術によれば、スケジューラが、より細かい粒度でリソースを割り当てることができるため、ｅＮＢにおけるコントローラ又はスケジューラは、より大きな柔軟性をワイヤレスアクセスインタフェースのリソースに提供することができる。
【００２２】
［サブキャリア間隔のシグナリング］
本技術の例としての実施形態によれば、ＵＥは、シングルトーンとしてサブキャリアを使用してアップリンクデータを送信し得る。それは、インフラ機器の決定に依存して２つの異なるサブキャリア間隔のうちの１つとして送信され得る。「サブキャリア間隔」という用語は、マルチトーン及びシングルトーンの双方に適用可能であり、シングルトーン送信の場合、それは、異なるＵＥからの送信のサブキャリア間の間隔に関することに留意する。一例によれば、サブキャリア間隔は、３．７５ｋＨｚ又は１５ｋＨｚのいずれかであり得る。１５ｋＨｚのサブキャリア間隔が存在するとき、マルチサブキャリア／マルチトーン送信のみが、サポートされる。３．７５ｋＨｚシングルトーン送信は、パワースペクトル密度がブーストされ、より長いレンジの送信につながるという点で、１５ｋＨｚサブキャリア間隔よりも利点を有する。他の例では、１５ｋＨｚのサブキャリア間隔は、信号繰り返しによってそのより短い送信レンジを軽減することができ、レンジを増加させることにつながるが、（信号の繰り返しに起因して）より低いデータレートをサポートする不利益を伴う。一方、２つの可能なサブキャリア間隔の利用可能性、及び送信モード（単一サブキャリア上のシングルトーン、又は複数サブキャリアを介したマルチトーン）とともに、ＵＥに、それが使用すべきサブキャリア間隔、送信モード（単一又は複数サブキャリア）、及びその上サブキャリアの位置を通知するための構成を提供する必要がある。
【００２３】
１つの提案によれば、ＵＥを識別するプリアンブルを含み得る第１のランダムアクセスメッセージの後、ＵＥからの第１のアップリンクメッセージは、シングルトーンを使用して少なくとも送信されることになる。したがって、ｅＮＢは、第１のアップリンクメッセージをシングルトーン送信として受信するように構成されることになる。２種類のシングルトーン送信が、異なるサブキャリア間隔とともに存在する可能性があるため、ＵＥは、どのシングルトーン送信が使用されるべきかを知る必要がある。さらに、それはまた、シングルトーン又はマルチトーン送信が動的に示され得る場合にｅＮＢに役立つことになる。したがって、本技術によれば、ｅＮＢは、ＵＥによって使用されるべきサブキャリア間隔を、アップリンクグラントメッセージにおいてシグナリングし得る。典型的には、アップリンクグラントメッセージは、使用されるべき、周波数リソース、時間リソース（繰り返しが使用される場合）、並びに変調及び符号化方式（ＭＣＳ）の標識などの、スケジューリング情報を含む。本技術によれば、使用されるべきサブキャリア間隔、例えば、３．７５ｋＨｚ又は１５ｋＨｚサブキャリア間隔のいずれを使用すべきかをＵＥに通知する、新たな指標が導入される。ＬＴＥの例の場合、アップリンクグラントメッセージは、ダウンリンク制御情報（ＤＣＩ）によって搬送され、ダウンリンク制御情報は、ＰＤＣＣＨ（又は狭帯域（ＮＢ−）ＰＤＣＣＨ）であるダウンリンク制御チャネルを介して送信される。別の例では、このスケジューリング情報を搬送するアップリンクグラントメッセージは、また、ランダムアクセスプロセスの間ランダムアクセス応答（ＲＡＲ）によって搬送され得る。
【００２４】
図４は、本技術の実施形態による、メッセージ交換を行う通信デバイス、即ちＵＥ１０４、及び基地局、即ちｅＮＢ１０１の例としてのブロック図を提供する。本技術の実施形態では、ｅＮＢが、データをアップリンク上でｅＮＢに送信するためにＵＥ１０４によって使用されるべきサブキャリア間隔をシグナリングする。図４に示すように、ＵＥ１０４は、送信機４０１及び受信機４０２を含み、それらは、コントローラ４０３によって制御される。これに対応して、ｅＮＢ１０１は、送信機４１１及び受信機４１２を含み、それらは、スケジューラとも呼ばれ得るコントローラ４１３によって制御される。上で説明したように、ＵＥ１０４は、ワイヤレス通信ネットワークの一部としてｅＮＢによって提供されるワイヤレスアクセスインタフェースを介して、ｅＮＢ１０１に信号を送信し、かつｅＮＢ１０１から信号を受信する。本技術によれば、ＵＥ１０４には、使用するサブキャリア間隔の標識が提供される。標識は、また、データをアップリンク上でｅＮＢ１０１に送信するために割り当てられるリソースが、単一サブキャリアのためであるか、あるいは複数サブキャリアのためであるかも意味する。
【００２５】
図４は、ｅＮＢが、使用されるべきサブキャリア間隔をその間にＵＥにシグナリングし得るイベントの３つの例４１６、４１７、４１８を提供する、ＵＥ１０４とｅＮＢ１０１との間のメッセージ交換も示している。ＵＥ１０４は、また、アップリンクリソースが、単一サブキャリアのためであるか、あるいは複数サブキャリアのためであるかの標識、及び、使用されるべきサブキャリア又は使用されるべき複数のサブキャリアをｅＮＢ１０１によって選択されるサブキャリア間隔に依存して識別する周波数リソース割り当ても、ｅＮＢ１０１から受信する。第１の例４１６において、ＰＤＳＣＨ上で送信されるランダムアクセス応答メッセージは、使用されるべきサブキャリア間隔を識別するフィールド４３０、及び使用されるべき周波数リソースのフィールド４３２を含む。サブキャリア間隔が３．７５ｋＨｚを示すか、あるいは１５ｋＨｚを示すかに依存して、ＵＥ１０４は、ＵＥ１０４がサブキャリア間隔を使用するためにシグナリングされる周波数リソースフィールドを異なるように解釈する。
【００２６】
図４に示すように、通信デバイス１０４は、まず、従来のランダムアクセス手順に従って、プリアンブル４２０をＰＲＡＣＨチャネルを介して送信する。ランダムアクセス手順の一部として、ｅＮＢ１０１は、ランダムアクセス応答メッセージ４３４をＰＤＳＣＨを介して送信し、それは、ＰＤＣＣＨ上でＤＣＩメッセージ４２２を送信することによってスケジュールされる。次いで、ＵＥ１０４が、ＲＲＣ接続を確立することによってアップリンクリソースを要求する手続（図示せず）に続く。ランダムアクセス応答メッセージ４３４は、ＰＤＳＣＨにおいて送信され、ＲＲＣ接続セットアップに関連する以下のメッセージが、ＰＤＳＣＨ及びＰＵＳＣＨを介して送信される（例えば、ＲＲＣ接続セットアップ要求メッセージが、ＰＵＳＣＨを介して送信され、ＲＲＣ接続セットアップメッセージが、ＰＤＳＣＨを介して送信される）。この例４１６の場合、ＲＡＲメッセージ内のアップリンググラントは、サブキャリア間隔を示すフィールド４３０及び周波数リソースフィールド４３２を含み得る。サブキャリア間隔を示すフィールド４３０の値に依存して、ＵＥ１０４は、以下の段落において説明されるように、周波数リソースフィールド４３２を異なるように解釈する。したがって、サブキャリア間隔フィールド４３０が、割り当てられるサブキャリア間隔は単一キャリア動作のみについてであると示す場合、ＵＥ１０４は、周波数リソースフィールド４３２を、そのサブキャリア間隔の数によって識別される単一サブキャリアの割り当てとして解釈する。これに対して、サブキャリア間隔４３０が、単一又は複数のサブキャリアについてであり得る場合、周波数リソースフィールド４３２は、複数のサブキャリアを提供する周波数帯域の標識を提供する。
【００２７】
第２の例４１７では、ＵＥは、アップリンクにおけるバッファ状態報告４４０をＰＵＳＣＨ上でｅＮＢ１０１に送信する。ＵＥは、複数のバッファ状態報告メッセージを送信してもよく、それは、ＵＥ１０４のバッファ内に存在するデータ量をｅＮＢに通知するために、周期的に送信されてもよい（図４には示されないが、図１０に示す）。コントローラ４１３における所定の基準設定に従って、コントローラ４１３は、データをＵＥのバッファからアップリンク上で送信するために、アップリンクリソースをＵＥ１０４に許可することを決定する。これに応じて、ｅＮＢ１０１は、使用されるべきサブキャリア間隔を識別するフィールド４４４、及びＵＥがアップリンク上で使用すべき周波数リソース４４６を含む、ＤＣＩメッセージ４４２を送信する。サブキャリア間隔フィールド４４４及び周波数リソースフィールド４４６は、第１の例４１６において送信されるランダムアクセス応答メッセージ内のサブキャリアフィールド４３０及び周波数リソースフィールド４３２と同一の情報を提供する。
【００２８】
第３の例４１８として、ｅＮＢ１０１は、ダウンリンク上でＵＥ１０４に送信するデータを有する。従来の構成によれば、ＵＥ１０４が、現在アイドルモードである場合、ＵＥにアクティブモードに切り替えるように命令するため、及びＵＥ１０４がデータを受信するためのダウンリンク上の通信リソースの割り当てを受信するために、ページングメッセージ４５０がＵＥ１０４に送信される。この実施形態では、ページングメッセージは、サブキャリア間隔についての情報４５４を含む。本質的には、サブキャリア間隔フィールド４５４及び周波数リソースフィールド４５４は、第１の例４１７及び第２の例４１８についてのサブキャリア間隔フィールド４３０、４４４及び周波数リソースフィールド４３２、４４６と同一の情報を提供する。
【００２９】
上記の例は、サブキャリア間隔フィールド４３０、４４４、及び周波数リソースフィールド４３２、４４６が、アップリンクにおいて適用されるサブキャリア間隔及び周波数リソースを定義するためにどのように使用され得るかを示している。同様のやり方で、サブキャリア間隔フィールド４２４及び周波数リソースフィールド４２６が、また、ダウンリンク送信４３４に使用されるサブキャリア間隔及び周波数リソースを定義するためにどのように適用され得るかは、当業者には明らかであろう。
【００３０】
それぞれのサブキャリア間隔フィールド４２４、４３０、４４４、４５４及び周波数リソースフィールド４２６、４３２、４４６、４５６のそれぞれにおける仕様が、いくつかの例を用いて以下の段落において説明される。上記の例は、サブキャリア間隔フィールド４３０、４４４及び周波数リソースフィールドの方法を示す。例としての実施形態によれば、上で示したように、サブキャリア間隔フィールドは、アップリンク送信が、３．７５ｋＨｚのサブキャリア間隔を使用するか、あるいは１５ｋＨｚのサブキャリア間隔を使用するかを示すための、ＤＣＩにおける単一ビットであり得る。
【００３１】
従来の構成によれば、ＰＤＣＣＨ又はＮＢ−ＰＤＣＣＨを介して送信される制御メッセージは、ＵＥによってブラインド復号される必要がある。典型的には、ブラインド復号の数を減少させるために、共通のＤＣＩフォーマット又はＤＣＩサイズが使用される。狭帯域ＩｏＴの場合、共通のＤＣＩが、３．７５ｋＨｚシングルトーン送信及び１５ｋＨｚシングルトーン又はマルチトーン送信をスケジュールするために使用され得る。したがって、別の実施形態では、ＤＣＩにおいて提供される標識が、３．７５ｋＨｚのサブキャリア間隔が使用されるべきであると示すとき、アップリンクグラントにおける周波数リソースフィールドは、４８個のサブキャリアのうちの１つを示すために使用される。一方、制御メッセージが、１５ｋＨｚのサブキャリア間隔を示す場合、割り当てに利用可能なサブキャリアの数は１２であり、それは、シングルトーン又はマルチトーン割り当てであってもよく、周波数リソースフィールドは、例えば、１、２、４、８、又は１２個のサブキャリアの割り当てを示し得る。このように、選択されるサブキャリア間隔によれば、周波数リソースフィールド４３２、４４６の解釈は、図５に示されるように異なる。
【００３２】
図５は、３．７５ｋＨｚ及び１５ｋＨｚの２つの所定のサブキャリア間隔の例の概略図を提供する。右側の縞５００は、１５ｋＨｚ間隔についてのサブキャリアを表し、図の左側の縞５０２は、３．７５ｋＨｚについてのサブキャリア間隔を表す。一例では、単一ビットが、選択されたサブキャリア間隔を表し、例えば、「０」の値が３．７５ｋＨｚ間隔を表し、又は、「１」の値が１５ｋＨｚ間隔を表す。
【００３３】
ＵＥがＤＣＩメッセージ内の「シングルトーン／サブキャリア間隔ビット」の指標などの、ｅＮＢからの制御メッセージを解釈するプロセスを示す、例としてのフローチャートが、図６に示されている。図６に示されるフロー図によって表されるプロセスは、以下のように要約される。
Ｓ１：ＵＥ１０４内のコントローラ４０３の制御下にある受信機４０２は、まず、サブキャリア間隔を３．７５ｋＨｚ又は１５ｋＨｚのいずれかとして表す単一ビットを、例えば狭帯域ＰＤＣＣＨから抽出する。
【００３４】
決定ポイントＳ２において、コントローラは、サブキャリア間隔ビット又はシングルトーンビットが、３．７５ｋＨｚのサブキャリア間隔を示すように設定されるかどうかを判断する。ビットが、３．７５ｋＨｚのサブキャリア間隔を示すように設定されている場合、処理は、ステップＳ４に進む。そうでなければ、処理は、１５ｋＨｚのサブキャリア間隔についてのステップＳ６に進む。
【００３５】
Ｓ４：３．７５ｋＨｚのサブキャリア間隔を示す単一ビットが設定されている場合、３．７５ｋＨｚのサブキャリア間隔についての数の規則を使用して、次の周波数リソースフィールド４３２、４４６は、周波数帯域内の特定の位置における単一サブキャリアを示すと解釈される。
【００３６】
Ｓ６：選択されたサブキャリア間隔を表すビットが、１５ｋＨｚサブキャリア間隔を示すように設定されている場合、周波数リソースフィールド４３２、４４６は、単一又は複数キャリア割り当てを表すための数の規則に従って解釈される。
【００３７】
Ｓ８：ＵＥは、次いで、周波数リソースフィールドによって割り当てられる構成に従って、割り当てられたサブキャリア又は複数のサブキャリアを介して信号を送信し始める。さらに、他のスケジューリング情報が、変調符号化方式、又はトランスポートブロックサイズなどの、他の通信パラメータを示してもよい。
【００３８】
「周波数リソースフィールド」４３２、４４６の意味を識別する所定の構成に従って、ｅＮＢ１０１がＵＥ１０４とどのように通信し得るかの例示が、表１に示される。この例では、周波数リソースフィールドは、サブキャリア間隔が、３．７５ｋＨｚであるか、あるいは１５ｋＨｚであるかを示す「サブキャリア間隔ビット」（図６におけるステップＳ１の「シングルトーンビット」と等価である）に依存して、異なる解釈を有する。サブキャリア間隔指標の値に依存して、
・サブキャリア間隔が、３．７５ｋＨｚと示される場合、「周波数リソースフィールド」は、アップリンク送信に使用されるべきシングルトーンを直接示す。
・サブキャリア間隔が、１５ｋＨｚと示される場合、「周波数リソースフィールド」は、１５ｋＨｚ数秘学送信：シングルトーン送信又はマルチトーン送信のいずれかに使用されるべき開始サブキャリア及び連続サブキャリア数を示す。マルチトーン送信の開始サブキャリア位置は、３．７５ｋＨｚシングルトーン送信に使用されるトーンの数の倍数である。
【００３９】
【表１】
2019501603.tif 000003
【００４０】
表１−本発明の実施形態による、「周波数リソースフィールド」の例としての意味
【００４１】
表の別の例が、表２に示される。この表２の「予備」フィールドは、周波数リソース標識以外の目的でシグナリングするために使用され得る。例えば、フィールドは、「ＰＤＣＣＨオーダ」をシグナリングするために使用されてもよく、その場合に、ＰＤＣＣＨオーダは、より下位のレイヤ、即ちＭＡＣレイヤより下のシグナリングを使用して、ｅＮＢがメッセージをＵＥに直接送信する手順を提供し、又は、ＰＤＣＣＨメッセージのエラー検出ケイパビリティを拡張するために使用されてもよい。これは、ＵＥが、複数の予備の値のうちの１つを受信する場合に、それが、ＰＤＣＣＨのコンテンツを無視するという理由からである。この例では、周波数リソースフィールドは、また、「サブキャリア間隔ビット」標識に依存して、異なる解釈を有する。
・３．７５ｋＨｚの場合、「周波数リソースフィールド」は、アップリンク送信に使用されるべきシングルトーンを直接示す。この表では、可能なシングルトーン送信のサブセットのみが許可される。例は、３．７５ｋＨｚにおけるシングルトーン送信が、２つおきに許可されることを示す。シングルトーン送信の数におけるこの制限は、同時に割り当てられ得るＵＥの数を制限し得るが、これは、システムが制限されたアップリンクキャパシティではない場合、重大な関心事ではない。３．７５ｋＨｚシングルトーン送信が、システムの帯域幅全体を通してシグナリングされることを可能にすることによって、スケジューラの柔軟性が、維持される。
・１５ｋＨｚの場合、「周波数リソースフィールド」は、１５ｋＨｚ数秘学送信、シングルトーン送信又はマルチトーン送信のいずれかに使用されるべき開始サブキャリア及び連続サブキャリア数を示す。マルチトーン送信の開始サブキャリア位置は、３．７５ｋＨｚシングルトーン送信に使用されるトーンの数の倍数である。
【００４２】
【表２】
2019501603.tif 000004
【００４３】
表２−「周波数リソースフィールド」の例としての意味
【００４４】
本発明の別の実施形態では、ＰＤＣＣＨにおける明示的な「サブキャリア間隔ビット」標識が存在せず、「アップリンク送信構成」、即ち、シングルトーンの使用、及びシングルトーン又はマルチトーンの構成が、表から直接決定される。このシグナリングの例が、表３に示される。この表には、３．７５ｋＨｚシングルトーン送信についての、制限される数の可能な構成がある。この場合、３．７５ｋＨｚシングルトーン送信は、周波数リソース空間のより低い部分において連続するサブキャリアのグループを占有する。制限される数の３．７５ｋＨｚシングルトーン送信は、セル内のデバイスのある割合、例えば、５％だけが、極端なカバレッジ条件を経験すると考えられるときには、十分であり得る。したがって、制限される数が、３．７５ｋＨｚシングルトーン送信を必要とするだけであり、他のデバイスは、１５ｋＨｚシングルトーン又はマルチトーン送信でサービスされ得る。
【００４５】
【表３】
2019501603.tif 000005
【００４６】
表３−本発明の実施形態による「周波数リソースフィールド」の例としての意味
【００４７】
別の例によれば、システム帯域幅１８０ｋＨｚが、１２個の１５ｋＨｚサブキャリアをサポートし、マルチトーンの数が、｛１，２，４，８，１２｝の連続するマルチトーンに限定されるときに、１５ｋＨｚシングルトーン及びマルチトーン送信の全ての可能な構成が、開始トーン位置に対する制限があることを通知することによってコンパクトにシグナリングされ得る。ｎｍｔの連続するマルチトーンについて、１２個のサブキャリアシステム帯域幅、開始する１５ｋＨｚのサブキャリアが、以下の範囲に限定される。
ｓｔａｒｔ＿ｓｕｂｃａｒｒｉｅｒ＝０−＞１２−ｎｍｔ
【００４８】
この観測に基づいて、１５ｋＨｚシングルトーン及びマルチトーンについての可能な構成が、以下の表４に示される。理解されるように、この表から１５ｋＨｚシングルトーン送信をシグナリングする方法は、上で提示した表において識別される他のシグナリング方法と組み合わせられ得る。
【００４９】
【表４】
2019501603.tif 000006
【００５０】
表４−１５ｋＨｚシングルトーン及びマルチトーン送信についての可能な構成
【００５１】
別の実施形態では、制御チャネルメッセージ内のフィールドは、ＵＥが、３．７５ｋＨｚサブキャリアベースのアップリンク送信に割り当てられるか、あるいは１５ｋＨｚサブキャリアベースのアップリンク送信に割り当てられるかを示し、「周波数及び繰り返しリソースフィールド」は、送信に割り当てられるサブキャリア位置及び繰り返しの数を示す。この割り当て方法は、システムが、１５ｋＨｚ及び３．７５ｋＨｚ送信を等カバレッジでシグナリングすることを可能にする。１５ｋＨｚのサブキャリア信号の繰り返しは、３．７５ｋＨｚ送信のものと比較可能になるまで、そのカバレッジを拡張し得ることに留意する。ＰＤＣＣＨにおける他のフィールドは、さらに、ＵＥからのアップリンク送信を構成することとなる。例えば、「周波数及び繰り返し」リソースフィールドが、サブキャリア及び第１の繰り返し因数ＲＥＰ１を示し、ＰＤＣＣＨの他のフィールドのうちの１つ以上が、別の繰り返し因数ＲＥＰ２を示し得る。この場合、ＵＥによって適用されるべき全体の繰り返しは、
ＲＥＰｏｖｅｒａｌｌ＝ＲＥＰ１×ＲＥＰ２
である。
【００５２】
この例としての実施形態によれば、同じ度合いのカバレッジにおいて、１５ｋＨｚのサブキャリア信号のパワースペクトル密度がより低いことに起因して、より多くの繰り返しが、単一の３．７５ｋＨｚサブキャリアよりも単一の１５ｋＨｚサブキャリアで必要とされることを認識する構成が提供される。
【００５３】
以下の表５は、「サブキャリア間隔」標識が、３．７５ｋＨｚを示す場合について、及びこの標識が１５ｋＨｚを示す場合についての、インデックスのコンテンツと、「周波数及び繰り返しリソースフィールド」との間の例としてのマッピングを示している。
【００５４】
【表５】
2019501603.tif 000007
【００５５】
表５−本技術の実施形態による「周波数及び繰り返しリソースフィールド」の例としての意味
【００５６】
他の例では、「サブキャリア間隔」ビットの意味及び利用は、例えば、ＳＩＢシグナリングをブロードキャストするシステム情報を介して、ｅＮＢによって構成可能であり得る。例えば、ｅＮＢは、「サブキャリア間隔」ビットが、表１の形式の表に従って、又は表５の形式の表に従って解釈されるべきであることをシグナリングし得る。
【００５７】
別の実施形態では、周波数リソースフィールドと同様に、変調符号化方式（ＭＣＳ）又はトランスポートブロックサイズ（ＴＢＳ）もまた、３．７５ｋＨｚのサブキャリア間隔が使用されるか、あるいは１５ｋＨｚのサブキャリア間隔が使用されるか、異なった解釈がされることとなる。３．７５ｋＨｚが、サブキャリア間隔指標ビットによって示される場合、変調符号化方式（ＭＣＳ）又はＴＢＳインデックスは、異なるセットの値、例えば、１５ｋＨｚが示されるときのものに対する仕様における異なるルックアップテーブルを参照する。この実施形態は、より少ないトランスポートビットが、１５ｋＨｚの数秘学についてよりも３．７５ｋＨｚの数秘学を使用してサブキャリア毎にトランスポートされ得るという観測に基づく。
【００５８】
別の実施形態では、明示的なビットが使用されないが、その代わりに、使用されるサブキャリア間隔が、ＭＣＳ／ＴＢＳフィールドによって暗示的に示される。ＭＣＳ／ＴＢＳフィールドは、典型的には、ＭＣＳ／ＴＢＳテーブルのインデックスを指し、このテーブルは、シングルトーンの３．７５ｋＨｚ送信にのみ固有のエントリ、及びシングルトーン及びマルチトーンの１５ｋＨｚ送信にのみ固有のエントリを含む。例えば、ＭＣＳ／ＴＢＳテーブル内で最も低いＸエントリは、３．７５ｋＨｚ送信にのみ適用可能であり、したがって、これらのエントリのうちの１つが示される場合、それは、３．７５ｋＨｚシングルトーン送信が使用されることを暗に示すことになり、周波数リソースは、前の実施形態の通り、４８個のサブキャリアについて解釈されることになる。最も低いＸエントリのうちの１つ以外のエントリが使用される場合、このシグナリングは、シングルトーン又はマルチトーンであり得る１５ｋＨｚのサブキャリア間隔を暗示的に示すことになる。
【００５９】
アップリンク送信が、３．７５ｋＨｚサブキャリアに基づくか、あるいは１５ｋＨｚサブキャリアに基づくかを判断する別の方法は、ダウンリンクチャネル品質のＵＥ測定結果に基づく。ＵＥは、例えば、参照信号受信電力（ＲＳＲＰ）測定を実行することによって、ダウンリンクチャネル品質を測定する。ダウンリンクチャネル品質に依存して、ＵＥは、ＰＲＡＣＨリソースのどのセットを使用するかを選択し、その場合に、異なるＰＲＡＣＨリソースは、異なるカバレッジレベルに関連付けられている。ＰＲＡＣＨリソースの各セットは、第１のアップリンクメッセージｍｓｇ３についてのシングルトーン又はマルチトーン送信のいずれか、かつ３．７５ｋＨｚサブキャリア帯域幅又は１５ｋＨｚサブキャリア帯域幅のいずれかに関連付けられている。この方法では、アップリンク送信のためのリソースを割り当てる、ＮＢ−ＰＤＣＣＨにおける「シングルトーン」ビットを示す必要はないことになる。ＵＥは、ＮＢ−ＰＤＣＣＨが、３．７５ｋＨｚアップリンク送信を割り当てるか、あるいは１５ｋＨｚアップリンク送信を割り当てるかに従って、ＮＢ−ＰＤＣＣＨを解釈するように、そのＮＢ−ＰＤＣＣＨ復号ロジックを再構成することとなり、例えば、ＵＥは、ＮＢ−ＰＤＣＣＨの「周波数リソースフィールド」を、使用されるＰＲＡＣＨリソースのセットに依存して解釈する。実際に、この場合、ＮＢ−ＰＤＣＣＨのフォーマット、例えば、ＮＢ−ＰＤＣＣＨによって搬送されるビットの数は、３．７５ｋＨｚアップリンク送信が割り当てられるか、あるいは１５ｋＨｚ送信が割り当てられるかに依存して異なり得る。これは、この場合に、ＵＥが、（ＮＢ−ＰＤＣＣＨによって搬送される）ＤＣＩのどのフォーマットが復号されるかを先験的に知っているからであり、それは、異なる潜在的ＤＣＩフォーマット間でブラインド復号する必要がない。
【００６０】
したがって、本技術の実施形態は、シングルトーン又はマルチトーンが利用可能である異なる可能なサブキャリア間隔を効率的にシグナリングするための構成を提供し得る。例えば、３．７５ｋＨｚのサブキャリア間隔は、シングルトーン送信にのみ使用され、１５ｋＨｚのサブキャリア間隔は、シングルトーン及びマルチトーン送信に使用される。このシグナリングは、より上位のレイヤのプロトコルを使用することによって実現され得るが、そのような実装は、ｅＮＢスケジューリングの柔軟性を低下されることになる。
【００６１】
［動的ＴＴＩのシグナリング］
従来のＬＴＥシステムでは、送信時間間隔（ＴＴＩ）内に送信されるトランスポートブロック（ＴＢ）というブロックにデータを分割することによって、データは、アップリンク及びダウンリンクの双方において送信される。ＬＴＥにおけるＴＴＩは、１ｍｓ又は１サブフレームに固定されている。したがって、トランスポートブロックのサイズは、サブフレーム内に送信され得るデータ量によって決定される。大きなトランスポートブロックサイズ（ＴＢＳ）が送信される必要がある場合、時間リソースは（１ｍｓに）固定されているため、より多くの周波数リソースが、物理リソースブロック（ＰＲＢ）の形式で使用され得る。
【００６２】
図７は、トランスポートブロックがダウンリンクによってＵＥに送信される従来の構成の図を提供する。図７は、図２に示される図に対応し、したがって、類似の特徴は、同一の参照番号を有し、図２との相違点のみが説明される。図７に示すように、１２個のサブキャリア物理リソースブロック（ＰＲＢ）２０８内において、割り当てが、トランスポートブロックを送信するために行われる。図７に示すように、物理リソースブロック７０１は、サブフレームの１２個のサブキャリアに対応するサイズを有し、１つのサブフレームにおいて送信されるトランスポートブロックを移送する。したがって、送信時間間隔（ＴＴＩ）７０２は、サブフレーム期間に対応する１ミリ秒である。
【００６３】
ＮＢ−ＩｏＴへの適用を見出し得る、例としての実施形態によれば、狭帯域キャリアに利用可能な周波数リソースは、１つのＰＲＢに限定される。さらに、ＵＥに対する周波数リソース割り当てが、ＰＲＢの１２個の利用可能なサブキャリアのうちの１つ以上として行われ得る。このようにして、周波数リソース割り当てが、全てのＰＲＢよりも少ない場合、トランスポートブロックサイズ（ＴＢＳ）は、ＵＥに割り当てられる、利用可能な１２個のサブキャリアの数に従って適合されなければならない。したがって、１つより少ないＰＲＢを使用する送信の場合、リソースエレメント（ＲＥ）の数は、所望のＴＢＳを搬送するのに十分でないことがある。データパケットを、複数のサブフレーム送信において搬送されるべき複数のより小さいトランスポートブロックにセグメント化することが可能であるが、各送信にオーバヘッドがかかり、したがって、セグメント化は、各トランスポートブロックの送信に関連するオーバヘッドシグナリングに起因して効率低下につながる。したがって、３ＧＰＰでは、従来のサイズのトランスポートブロックが、図８及び図９において示される複数のサブフレームにわたって送信され得ることが、提案されている。
【００６４】
図８及び図９に示すように、１つのＬＴＥサブフレームにおいて送信される従来のトランスポートブロックは、ｎ個のサブフレームにわたって送信される。ここで、ｎは、ＵＥがそのデータを送信するために割り当てられるＰＲＢのサブキャリアの数の関数である。このようにして、トランスポートブロックが複数のＢＲＵにわたって分布され得るように、サブフレーム毎に送信されるデータ量が、基本リソース単位（ＢＲＵ）として解釈され得る。ＢＲＵは、基本周波数リソース（ＢＦＲ）及び基本時間リソース（ＢＴＲ）で構成される。図９に示すように、データを送信するためのＢＴＵは、同一のままであり、ＴＴＩが、例えば、複数のＢＴＲであり得る。
【００６５】
図８は、データを送信又は受信するためにＵＥに割り当てられるサブキャリアの数を変化させることの、ＴＴＩに対する効果を示す概略ブロック図を提供する。図８に示すように、ＴＴＩの長さが、１、３、６、及び１２個のキャリア間でどのように変化するかを示す４つの例が提供される。
【００６６】
図９は、異なる数のサブキャリアがＴＴＩをどのように変化させるかを示す概略図を提供する。図９に示すように、図７及び図２に示す無線フレーム２００に対応する無線フレーム２００が示される。ＬＴＥワイヤレスアクセスインタフェースについて図７に示される従来の例によれば、１２個のサブキャリア又は物理リソースブロックを割り当てることによって、従来のトランスポートブロックサイズのデータが、図７及び図８に示すように１つのサブフレーム内で送信されることが可能となる。トランスポートブロック９０１は、１２個の割り当てられたサブキャリアについてＴＴＩ１の期間を有するように、図９に示される。しかしながら、ダウンリンク上でデータを受信するためにＵＥに割り当てられるサブキャリアの数が、６個のサブキャリアである場合、比例して、ＴＴＩの長さは、変調及び符号化が同一であると仮定して、１２個のサブキャリアが割り当てられる例についての長さの２倍に増加しなければならない。したがって、図９に示すように、トランスポートブロック９０２は、増加したより長いＴＴＩ２を使用して２つのＢＴＲ９１０、９１２にわたって送信される。これに対応して、第３の例に示されるように、ＵＥに割り当てられるサブキャリアの数が３である場合、トランスポートブロック９２０は、ＴＴＩ３などのさらに長いＴＴＩ長にわたって送信され、それは、４つのＢＴＲ９３０、９３２、９３４、９３６と等価である。
【００６７】
上記の例から理解されるように、基本周波数リソース（ＢＦＲ）は、単一のサブキャリアである。したがって、トランスポートブロックは、複数のサブキャリアにわたって送信され得る。
【００６８】
ＢＴＲを解釈する２つの方法がある。
・基本時間リソース（サブフレームの数の単位における）は、使用されるサブキャリアの数に依存する。例えば、ＢＴＲ＝１２／（サブキャリアの数）であり、したがって、１個のサブキャリアが使用される場合、ＢＴＲ＝１２サブフレームであり、１２個のサブキャリア（即ち、全ＰＲＢ）が使用される場合、ＢＴＲ＝１サブフレームである。
・ＢＴＲは、使用されるサブフレームの数に関わりなく、特定の値に固定される。
【００６９】
トランスポートブロックは、複数のＢＲＵを使用して送信されてもよく、かつＢＲＵは、時間及び周波数において拡張し得るため、これは、ＴＴＩが可変であることを示唆した。したがって、使用されるＴＴＩ、又は特定のトランスポートブロック送信に使用されるＢＴＲを示す必要がある。
【００７０】
本技術によれば、ＴＴＩ又はＢＴＲがＤＣＩ（グラント）内に暗示的又は明示的に示される構成が提供される。ＴＴＩ又はＢＴＲのシグナリングは、使用される周波数リソースと同様に、例えば、許可されたアップリンクリソース及び許可されたダウンリンクリソースの双方についてのＤＣＩを使用してシグナリングされる。ＴＴＩ及び使用されるＢＴＲの数という用語は、同一の原理、即ち、トランスポートブロックがその上で送信されるサブフレームの数（即ち、時間リソース）をいう。以下の段落において、ＴＴＩという用語が、それがＬＴＥにおいて使用される既存の用語であることから、使用される。上記の説明から通して理解されるように、例としての実施形態によれば、ＴＴＩは、送信又は受信のためにＵＥに割り当てられる周波数リソースの関数として、動的に可変である。
【００７１】
部分概略ブロック図及び部分メッセージフロー図が、本技術の例としての実施形態を示す図１０に示される。図１０に示すように、図４に示されるＵＥ及びｅＮＢに対応するＵＥ１０４及びｅＮＢ１０１が、示される。但し、図１０では、ＵＥ１０４は、データバッファ１００１を含む。従来の構成によれば、かつ図４に示す第２の例４１７に示されるように、ＵＥ１０４は、従来、バッファ状態報告１００２をｅＮＢに送信し得る。その結果、ある点において、ｅＮＢ１０１は、ＵＥのリソースをアップリンク上で割り当てるＤＣＩメッセージ１００４を送信して、そのデータバッファ１００１内のデータを送信する。一方、本技術によれば、ＤＣＩメッセージ１００４は、データの送信用情報を提供するフィールド１００６を含む。本技術によれば、フィールド１００６内の情報は、ＵＥ１０４に、それが使用すべきＴＴＩサイズの標識を提供する。標識は、新たなフィールドであってもよく、又はＵＥが使用すべき送信パラメータに関連する情報から提供されてもよく、ＴＴＩはそこから推察され得る。ＤＣＩは、また、ＵＥが使用すべきサブキャリア間隔を識別するために、上述した実施形態について説明されるように使用され得るサブキャリア間隔を示すフィールド１００８を含んでもよい。
【００７２】
上記実施形態から理解されるように、ＴＴＩは、アップリンク及びダウンリンク送信の双方をカバーするために、ダウンリンクグラント内に示され得る。ダウンリンクグラントでは、サブキャリア間隔を示す必要はない。図１０は、アップリンクグラントについて有効である。
【００７３】
図１０に示すように、データバッファ１００１内のデータは、サイズを有し、かつ、したがって、ＴＴＩ３が使用されるべきであることを必要とする、例えば３個のサブキャリア上での送信用に構成されるトランスポートブロックによって搬送される。
【００７４】
第２の例において、ＤＣＩメッセージ１０２０は、サブキャリア間隔を識別するフィールド１０２２を対応して含み、フィールド１０２４においてデータを送信するための通信パラメータを提供する。上で説明した例について、通信パラメータを提供するフィールド１０２４は、ＵＥによって使用されるべきＴＴＩを暗示的又は明示的に識別し得る。第２の例１０３０において、利用可能な物理リソースブロックのサブキャリアのうち１２個が、アップリンク上でデータをｅＮＢに送信するために割り当てられているため、ＴＴＩは、長さＴＴＩ１である。その結果、図１０の第２の例において示されるように、割り当てられるサブキャリアの数がより短いＴＴＩ１の期間であるように利用可能な最大数に等しいとき、トランスポートブロックは、１つのサブフレームにマッピングされる。
【００７５】
上で示したように、いくつかの実施形態では、ＴＴＩの長さを示す新たなフィールドが、ＤＣＩに導入される。可能なＴＴＩ長は、サブフレームの数に関して絶対的なＴＴＩ長、又はこの新たなフィールドにおいてシグナリングされ得る許容されるＴＴＩ長を含むルックアップテーブルへのインデックスのいずれかから予め定義され得る。
【００７６】
他の実施形態では、ＴＴＩ長は、変調及び符号化方式（ＭＣＳ）から暗示的に決定される。サブキャリアの所与の数及びトランスポートブロックサイズについて、低い符号化率を有するＭＣＳは、より多くのリソース、この場合、より多くの時間リソースを必要とし、したがって、より長いＴＴＩを必要とする。同様に、高い符号化率を有するＭＣＳは、より少ないリソース、したがって、より短いＴＴＩを必要とする。ＢＴＲに関して、より多くのＢＴＲが、低い符号化率に対して使用され、高い符号化率についてその逆もまた同様である。実際のＴＴＩ長とＭＣＳとの間の関係は、事前指定されてもよく、したがって、ＵＥ及びｅＮＢの双方にルックアップテーブル、数式の形式で知られ、又はより上位のレイヤによって構成されてもよい。
【００７７】
他の実施形態では、ＴＴＩ長は、トランスポートブロックサイズ（ＴＢＳ）から暗示的に決定される。より大きなＴＢＳは、より多くのリソースを必要とし、したがって、所与の数のサブキャリアについて、それは、より長いＴＴＩを有することになる。同様に、より小さなＴＢＳは、より少ないリソースしか必要とせず、所与の数のサブキャリアについて、より短いＴＴＩを有することとなる。ＴＴＩ長とＴＢＳとの間の関係は、事前指定されてもよく、したがって、ＵＥ及びｅＮＢに予め知られてもよく、ルックアップテーブル、又は数式の形式で表され、又はより上位のレイヤによって構成されてもよい。
【００７８】
別の実施形態では、ＴＴＩ長は、使用されるサブキャリアの数によって暗示的に決定される。使用されるサブキャリアの数が少ないほど、周波数ドメイン内のリソース不足を補うためにＴＴＩがより長くなる。同様に、使用されるサブキャリアの数が多いほど、周波数ドメイン内においてより多くのリソースが利用可能であるため、ＴＴＩは短くなる。
【００７９】
他の実施形態では、「等価ＰＲＢ」の数ＰＥ＿ＰＲＢが、ＤＣＩにおいて示される。現在のＬＴＥシステムにおいて、使用されるＰＲＢの数がシグナリングされ、ＭＣＳインデックスと共に、ＴＢＳが、ＴＳ３６．２１３［４］において開示されるもののようなルックアップテーブルから決定され得ると理解される。しかしながら、ＮＢ−ＩｏＴでは、単一ＰＲＢのみが使用され、したがって、「等価ＰＲＢ」は、ＰＲＢの断片に関して必要とされるリソース量の新たな標識である。ＰＲＢにおけるサブキャリアの数が既知（即ち、１２×１５ｋＨｚサブキャリア、又は４８×３．７５ｋＨｚサブキャリア）であるため、サブフレームの数に関するＴＴＩは、使用されるＰＥ＿ＰＲＢから直接的に計算され得る。したがって、１５ｋＨｚサブキャリア帯域幅の場合、
【００８０】
【数１】
2019501603.tif 000008
【００８１】
ここで、ＮＳｕｂｃａｒｒｉｅｒは、使用される（１５ｋＨｚ）サブキャリアの数である。例えば、ＤＣＩは、ＭＣＳインデックス及びＰＥ＿ＰＲＢを示し、それらは、表６に示されるようにＴＢＳを与える。ＭＣＳインデックスが７であり、かつ、ＰＥ＿ＰＲＢ＝４である場合、ＴＢＳは、４７２ビットである。ＮＳｕｂｃａｒｒｉｅｒもまた、ＤＣＩにおいてシグナリングされ、６個のサブキャリアに設定されると仮定すると、このトランスポートブロックを搬送するために必要なＴＴＩ長（１ｍｓサブフレームの数）は、したがって、８サブフレームである。ＰＥ＿ＰＲＢは、整数である必要はなく、即ち、いくつかの新たなＴＢＳエントリが、ＰＲＢの断片に対して定義され得ると理解されるべきである。他の適当な用語、例えば、必要な全体リソースが、ＰＥ＿ＰＲＢに使用されてもよい。
【００８２】
【表６】
2019501603.tif 000009
【００８３】
表６：ＭＣＳインデックス及び等価ＰＲＢの数を与えられたＴＢＳ（ビット）についてのルックアップテーブル
【００８４】
別の実施形態では、ＴＴＩ長は、上で定義される異なる変数の組み合わせによって暗示的に決定される。即ち、ＴＴＩ長は、ＭＣＳ、ＴＢＳ及びＮＳｕｂｃａｒｒｉｅｒによって決定される。即ち、等価ＰＲＢ、ＰＥ＿ＰＲＢが、ＤＣＩにおいて示されない場合、それは、表６のものに類似のルックアップテーブルを使用して、ＭＣＳ及びＴＢＳ（ＴＢＳがＤＣＩにおいてシグナリングされると仮定して）から導き出され得る。一度ＰＥ＿ＰＲＢが導き出されると、ＴＴＩ長は、上記実施形態のうちの１つを用いて得られ得る。
【００８５】
別の実施形態では、特定数のサブキャリアについてのＴＴＩ又はＢＴＲは、割り当てられるサブキャリアの数によって割られる、サブキャリアのより大きな数の整数倍数である。例が、図８に示され、そこでは、４つの可能なＮＳｕｂｃａｒｒｉｅｒ＝｛１，２，６，１２｝の送信が存在する。より小さなＮＳｕｂｃａｒｒｉｅｒのＴＴＩ（又はＢＴＲ）は、より大きなＮＳｕｂｃａｒｒｉｅｒのＴＴＩの整数倍数である。ここで、ＮＳｕｂｃａｒｒｉｅｒ＝１のとき、ＴＴＩ＝１２サブフレームであり、ＮＳｕｂｃａｒｒｉｅｒ＝２のとき、ＴＴＩ＝６である。ここで、１２は、６の整数倍数である。これによって、異なるサブキャリアを使用するＵＥが、時間内に容易にアラインされることが可能となり、それにより、通信リソースをＮＢ−ＩｏＴのＵＥに割り当てるためのスケジューラの動作が簡易化される。
【００８６】
［添付１］
図２に提示するＬＴＥワイヤレスアクセスインタフェースの簡略化した構造は、また、各サブフレーム２０１の例示を含み、各サブフレーム２０１は、制御データ送信用の制御領域２０５、ユーザデータ送信用のデータ領域２０６、所定のパターンに従って制御及びデータ領域に点在する参照信号２０７及び同期信号を含む。制御領域２０４は、物理ダウンリンク制御チャネル（ＰＤＣＣＨ）、物理制御フォーマット指標チャネル（ＰＣＦＩＣＨ）、及び物理ＨＡＲＱ指標チャネル（ＰＨＩＣＨ）などの、制御データ送信用のいくつかの物理チャネルを含んでもよい。データ領域は、物理ダウンリンク共有チャネル（ＰＤＳＣＨ）、及び物理ブロードキャストチャネル（ＰＢＣＨ）などの、データ送信用のいくつかの物理チャネルを含んでもよい。これらの物理チャネルは、広範囲の機能性をＬＴＥシステムに提供するが、リソース割り当て及び本開示に関して、ＰＤＣＣＨ及びＰＤＳＣＨが最も関連する。ＬＴＥシステムの物理チャネルの構造及び機能に関するさらなる情報については、［１］において見出され得る。
【００８７】
ＰＤＳＣＨ内のリソースは、ｅＮｏｄｅＢによってサービスされているＵＥに、ｅＮｏｄｅＢによって割り当てられてもよい。例えば、ＵＥが以前に要求したデータ、又は無線リソース制御（ＲＲＣ）シグナリングなどのｅＮｏｄｅＢによってＵＥにプッシュされているデータを、ＵＥが受信し得るように、ＰＤＳＣＨのいくつかのリソースブロックが、ＵＥに割り当てられてもよい。図２では、ＵＥ１は、データ領域２０６のリソース２０８、ＵＥ２リソース２０９及びＵＥリソース２１０を割り当てられる。ＬＴＥシステムにおけるＵＥは、ＰＤＳＣＨの利用可能なリソースの断片を割り当てられることがあり、したがって、ＰＤＳＣＨ内の関連するデータのみが検出及び推定されるように、ＵＥは、ＰＤＣＳＨ内の割り当てリソースの位置を通知される必要がある。割り当てられた通信リソースの位置をＵＥに通知するために、ダウンリンクのリソース割り当てを指定するリソース制御情報が、ダウンリンク制御情報（ＤＣＩ）と呼ばれる形式で、ＰＤＣＣＨにわたって伝達され、ＰＤＳＣＨに対するリソース割り当ては、同一サブフレーム内の先行のＰＤＣＣＨインスタンスにおいて通信される。リソース割り当て手続きの間、ＵＥは、ＵＥ宛のＤＣＩ用ＰＤＣＣＨを監視し、そのようなＤＣＩが検出されると、ＤＣＩを受信し、ＰＤＳＣＨの関連する部分からデータを検出及び推定する。
【００８８】
各アップリンクサブフレームは、複数の異なるチャネル、例えば、物理アップリンク共有チャネル（ＰＵＳＣＨ）３０５、物理アップリンク制御チャネル（ＰＵＣＣＨ）３０６、及び物理ランダムアクセスチャネル（ＰＲＡＣＨ）を含む。物理アップリンク制御チャネル（ＰＵＣＣＨ）は、例えば、ダウンリンク送信用のｅＮｏｄｅＢへのＡＣＫ／ＮＡＣＫ、アップリンクリソースのスケジューリングを希望するＵＥに対するスケジューリング要求指標（ＳＲＩ）、及びダウンリンクチャネル状態情報（ＣＳＩ）のフィードバックなどの、制御情報を搬送してもよい。ＰＵＳＣＨは、ＵＥアップリンクデータ、又は何らかのアップリンク制御データを搬送してもよい。ＰＵＳＣＨのリソースは、ＰＤＣＣＨを介して許可され、そのような許可は、典型的には、ＵＥにおいてバッファ内で送信準備されたデータの量をネットワークに通信することによってトリガされる。ＰＲＡＣＨは、システム情報ブロックなどのダウンリンクシグナリングにおいてＵＥにシグナリングされ得る、複数のＰＲＡＣＨパターンのうちの１つに従って、アップリンクフレームのリソースのうちのいずれかにおいてスケジューリングされてもよい。物理アップリンクチャネルと同様、アップリンクサブフレームもまた、参照信号を含んでもよい。例えば、復調参照信号（ＤＭＲＳ）３０７及びサウンディング参照信号（ＳＲＳ）３０８は、ＤＭＲＳが、ＰＵＳＣＨが送信されるスロットの第４のシンボルを占有し、ＰＵＣＣＨ及びＰＵＳＣＨのデータの復号に使用され、かつＳＲＳが、ｅＮｏｄｅＢにおけるアップリンクチャネル推定に使用される、アップリンクサブフレーム内に存在してもよい。ＬＴＥシステムの物理チャネルの構造及び機能に関するさらなる情報は、［１］において見出され得る。
【００８９】
ＰＤＳＣＨのリソースに類似の方式で、ＰＵＳＣＨのリソースは、サービングｅＮｏｄｅＢによってスケジューリングされ、又は許可される必要があり、よって、データがＵＥによって送信予定である場合、ＰＵＳＣＨのリソースは、ｅＮｏｄｅＢによってＵＥに許可される必要がある。ＵＥにおいて、ＰＵＳＣＨリソース割り当ては、そのサービングｅＮｏｄｅＢへの、スケジューリング要求又はバッファ状態報告の送信によって実現される。ＵＥがバッファ状態報告を送信するための十分なアップリンクリソースがないとき、スケジューリング要求は、ＵＥに対する既存のＰＵＳＣＨ割り当てがないときにはＰＵＣＣＨ上でのアップリンク制御情報（ＵＣＩ）の送信を介して、又はＵＥに対する既存のＰＵＳＣＨ割り当てがあるときにはＰＵＳＣＨ上の直接送信によって、行われてもよい。スケジューリング要求に応答して、ｅＮｏｄｅＢは、バッファ状態報告を移送するのに十分なＰＵＳＣＨリソースの一部を要求するＵＥに割り当て、次いで、ＵＥに、ＰＤＣＣＨにおいてＤＣＩを介してバッファ状態報告リソース割り当てを通知するように構成される。ＵＥがバッファ状態報告を送信するのに適当なＰＵＳＣＨを一度有した場合、又は有する場合、バッファ状態報告は、ｅＮｏｄｅＢに送信され、アップリンクバッファ又はＵＥにおけるバッファ内のデータ量に関する情報をｅＮｏｄｅＢに与える。バッファ状態報告を受信後、ｅＮｏｄｅＢは、そのバッファされたアップリンクデータのうちのいくつかを送信するために、ＰＵＳＣＨリソースの一部を送信側ＵＥに割り当て、次いで、ＰＤＣＣＨにおいてＤＣＩを介してリソース割り当てをＵＥに通知し得る。例えば、ＵＥがｅＮｏｄｅＢとの接続を有すると仮定すると、ＵＥは、まず、ＵＣＩの形態で、ＰＵＣＣＨにおいてＰＵＳＣＨリソース要求を送信することとなる。次いで、ＵＥは、適当なＤＣＩ用のＰＤＣＣＨをモニタリングし、ＰＵＳＣＨリソース割り当ての詳細を抽出し、アップリンクデータを送信することとなる。割り当てられたリソース内には、初めにバッファ状態報告を含み、及び／又は、後にバッファされたデータの一部を含む。
【００９０】
構造においてはダウンリンクサブフレームに類似しているが、アップリンクサブフレームは、ダウンリンクサブフレームに対して異なる制御構造を有する。特に、アップリンクサブフレームの上位３０９及び下位３１０のサブキャリア／周波数／リソースブロックは、ダウンリンクサブフレームの最初のシンボルではなく、制御シグナリングのために予約される。さらに、ダウンリンク及びアップリンクのためのリソース割り当て手続きは、比較的類似しているが、割り当てられ得るリソースの実際の構造は、ダウンリンク及びアップリンクそれぞれで使用される、ＯＦＤＭ及びＳＣ−ＦＤＭインタフェースの異なる特性によって変化してもよい。ＯＦＤＭでは、各サブキャリアは個別に変調され、したがって、周波数／サブキャリアの割り当てが連続している必要はないが、ＳＣ−ＦＤＭでは、サブキャリアは組み合わされて変調され、したがって、利用可能なリソースの効率的な使用が行われるべきである場合、各ＵＥに対し連続した周波数割り当てが好ましい。
【００９１】
上述のワイヤレスインタフェースの構造及び動作の結果として、１つ以上のＵＥが、協調ｅＮｏｄｅＢを介して互いにデータを通信してもよく、したがって従来のセルラ通信システムを形成する。以前にリリースされたＬＴＥ標準に基づくものなどのセルラ通信システムは、商業的に成功しているが、多くの欠点がこのような集中型システムに関連している。例えば、極めて近くにある２つのＵＥが互いに通信したい場合、データを伝達するために十分なアップリンク及びダウンリンクリソースが必要とされる。その結果、システムのリソースの２つの部分が、データの単一部分を伝達するために使用される。第２の欠点は、ＵＥが互いに通信したい場合に、極めて近くにある場合であっても、ｅＮｏｄｅＢが必要とされることである。システムが高負荷を経験しているとき、又は、例えばｅＮｏｄｅＢが遠隔地にある、若しくはｅＮｏｄｅＢが正しく機能していないときなど、ｅＮｏｄｅＢのカバレッジが利用できないときに、これらの制限が問題となる可能性がある。これらの制限を克服することは、ＬＴＥネットワークのキャパシティ及び効率性の両方を向上させるだけでなく、ＬＴＥネットワーク事業者のための新たな収益の可能性の創出につながり得る。
【００９２】
［参考］
［１］LTE  for  UMTS:  OFDM  A  and  SC-FDM  A  Based  Radio  Access,  Harris  Holma  and  Antti  Toskala,  Wiley  2009,  ISBN  978-0-470-99401-6.
［２］RP-151621,  "New  Work  Item:  NarrowBand  IOT  NB-IOT,"  Qualcomm,  RAN#69
［３］Rl-157783,  "Way  Forward  on  NB-IoT,"  CMCC,  Vodafone,  Ericsson,  Huawei,  HiSilicon,  Deutsche  Telekom,  Mediatek,  Qualcomm,  Nokia  Networks,  Samsung,  Intel,  Neul,  CATR,  AT&T,  NTT  DOCOMO,  ZTE,  Telecom  Italia,  IITH,  CEWiT,  Reliance-Jio,  CATT,  u-blox,  China  Unicom,  LG  Electronics,  Panasonic,  Alcatel-Lucent,  Alcatel-Lucent  Shanghai  Bell,  China  Telecom,  RAN1#83
［４］3GPP  TS36.213
【００９３】
以下の番号の条項は、本技術の実施形態のさらなる例としての態様及び特徴を提供する。
【００９４】
条項１：モバイル通信ネットワークのインフラ機器へ信号を送信し、及び／又はインフラ機器から信号を受信するように構成される通信デバイスであって、前記通信デバイスが、
ワイヤレスアクセスインタフェースに従って前記インフラ機器により送信される信号を受信するように構成される受信機と、
前記ワイヤレスアクセスインタフェースに従って前記インフラ機器に信号を送信するように構成される送信機と、
前記送信機及び前記受信機を制御して、前記ワイヤレスアクセスインタフェースのアップリンクを介して前記インフラ機器にデータを送信し、又は前記ワイヤレスアクセスインタフェースの前記ダウンリンク上でデータを受信するように構成されるコントローラと、を備え、
前記ワイヤレスアクセスインタフェースが、前記データを表す信号を前記アップリンク上で送信するための、又は前記データを表す前記信号を前記ダウンリンク上で受信するための、複数の異なるサブキャリア間隔を提供することができ、前記コントローラが、前記送信機及び前記受信機と組み合わせて、
前記インフラ機器が、前記通信デバイスが前記インフラ機器にデータを送信するための前記アップリンク上で、又は前記通信デバイスが前記インフラ機器からデータを受信するための前記ダウンリンク上で、前記ワイヤレスアクセスインタフェースの通信リソースを提供するための要件を識別するときに、前記通信デバイスが前記データを表す前記信号を送信又は受信するために使用するべき、前記複数の異なるサブキャリア間隔のうちの１つの前記ワイヤレスアクセスインタフェースのダウンリンク上で標識を受信するように構成され、示される前記サブキャリア間隔もまた、前記通信デバイスが単一サブキャリアを使用すべきか、あるいは複数サブキャリアを使用すべきかを決定する、通信デバイス。
【００９５】
条項２：前記受信機が、複数の利用可能なサブキャリアのうちのどのサブキャリアを、示される前記サブキャリア間隔で、前記通信デバイスが前記データを前記インフラ機器に送信するために、若しくは前記データを前記インフラ機器から受信するために使用すべきか、又は、どの複数の利用可能なサブキャリアを、示される前記サブキャリア間隔で、前記通信デバイスが前記データを送信若しくは受信するために使用すべきかの標識を、示される前記サブキャリア間隔に依存して、前記インフラ機器から受信するように構成される、条項１に記載の通信デバイス。
【００９６】
条項３：前記受信機が、前記サブキャリア間隔の前記標識を、使用するサブキャリア又は複数のサブキャリアの標識とともに、前記サブキャリア間隔を示すフィールド、及び使用する前記サブキャリア又は複数のサブキャリアを示すフィールドを含むダウンリンク制御メッセージにおいて受信するように構成され、
前記コントローラが、前記サブキャリア又は複数のサブキャリアのうちのどれを使用するかを示す前記フィールドを、前記サブキャリア間隔を示す前記フィールドが、単一サブキャリアとしてのみ使用され得るサブキャリア間隔を示すか、あるいは単一又は複数サブキャリアとして使用され得るサブキャリア間隔を示すかに依存して、異なるように解釈するように構成される、条項２に記載の通信デバイス。
【００９７】
条項４：前記サブキャリア又は複数のサブキャリアのどれを使用するかを前記サブキャリア間隔の関数として示す前記フィールドが、前記インフラ機器と前記通信デバイスとの間で予め定められ、テーブルとして表され得る、条項３に記載の通信デバイス。
【００９８】
条項５：前記サブキャリア又は複数のサブキャリアのどれを使用するかを前記サブキャリア間隔の関数として示す前記フィールドの前記予め定められた解釈が、前記インフラ機器からブロードキャストシステム情報の一部として受信される、条項４に記載の通信デバイス。
【００９９】
条項６：前記ダウンリンク制御メッセージが、前記データ送信時に前記通信デバイスによって、使用されるべき変調方式、使用されるべき符号化方式、及び使用されるべきトランスポートブロックサイズのうちの１つ以上の標識を含み、
前記コントローラが、使用する前記変調方式、前記符号化方式、及び前記トランスポートブロックサイズのうちの１つ以上の前記標識を、示される前記サブキャリア間隔に依存して異なるように解釈するように構成される、条項３に記載の通信デバイス。
【０１００】
条項７：示される前記サブキャリア間隔に依存した、前記変調方式、前記符号化方式、及び前記トランスポートブロックサイズのうちの１つ以上の前記標識の異なる前記解釈が、前記インフラ機器からブロードキャストシステム情報の一部として受信される、条項６に記載の通信デバイス。
【０１０１】
条項８：前記コントローラが、
前記インフラ機器から前記ワイヤレスアクセスインタフェースを介して受信される信号強度を測定し、
測定結果の報告を前記インフラ機器に送信し、前記インフラ機器が、受信された前記測定結果の報告に基づいて前記通信デバイスについての前記サブキャリア間隔を選択するように、前記送信機及び前記受信機とともに構成される、条項１に記載の通信デバイス。
【０１０２】
条項９：前記ダウンリンク制御メッセージが、ランダムアクセス手順の一部として送信される、条項３に記載の通信デバイス。
【０１０３】
条項１０：前記複数の異なる前記サブキャリア間隔が、３．７５ｋＨｚ及び１５ｋＨｚの２つのサブキャリア間隔を含み、前記３．７５ｋＨｚのサブキャリア間隔の前記標識は、前記通信デバイスが、単一サブキャリア上で、前記データを表す前記信号を送信、又は前記データを表す前記信号を受信すべきであることを示し、前記１５ｋＨｚのサブキャリアの前記標識は、前記通信デバイスが、単一サブキャリア又は複数サブキャリア上で、前記データを表す前記信号を送信、又は前記データを表す前記信号を受信すべきであることを示す、条項１に記載の通信デバイス。
【０１０４】
条項１１：モバイル通信ネットワークのインフラ機器へ信号を送信し、及び／又はインフラ機器から信号を受信するように構成される通信デバイスであって、前記通信デバイスが、
ワイヤレスアクセスインタフェースに従って前記インフラ機器により送信される信号を受信するように構成される受信機と、
前記ワイヤレスアクセスインタフェースに従って前記インフラ機器に信号を送信するように構成される送信機と、
前記送信機及び前記受信機を制御して、前記ワイヤレスアクセスインタフェースのアップリンクを介して前記インフラ機器にデータを送信し、又は前記ワイヤレスアクセスインタフェースの前記ダウンリンク上でデータを受信するように構成されるコントローラと、を備え、
前記ワイヤレスアクセスインタフェースが、前記データを表す信号を前記アップリンク上で送信するための、又は前記データを表す前記信号を前記ダウンリンク上で受信するための、複数の異なるサブキャリア間隔を提供することができ、前記コントローラが、前記送信機及び前記受信機と組み合わせて、
前記通信デバイスによって要求されるサブキャリア間隔を表すプリアンブルの予め定められたセット、及び単一サブキャリア又は複数サブキャリアに対する要求のうちの１つを選択し、
ランダムアクセス手順の一部として、要求される前記キャリア間隔を表す前記プリアンブルを前記インフラ機器に送信し、
前記アップリンク上で前記データを送信するための前記送信機、又は前記ダウンリンク上で前記データを受信するための前記受信機のうちの１つを、要求される前記サブキャリア間隔に従って構成するように構成される、通信デバイス。
【０１０５】
条項１２：前記コントローラが、要求される前記サブキャリア間隔に依存して、要求される前記サブキャリア間隔を表す前記プリアンブルの予め定められたセット、及び単一サブキャリア又は複数サブキャリアに対する要求のうちの１つを選択するように構成される、条項１１に記載の通信デバイス。
【０１０６】
条項１３：前記コントローラが、
前記アップリンク又は前記ダウンリンクの通信リソースを割り当てるダウンリンク制御メッセージを受信するように、前記送信機及び前記受信機とともに構成され、
前記ダウンリンク制御メッセージが、前記アップリンク又は前記ダウンリンク上において前記インフラ機器によって割り当てられる周波数リソースを示すフィールドを含み、前記コントローラが、前記インフラ機器によって割り当てられる前記周波数リソースを示す前記フィールドを、前記通信デバイスによって要求される前記サブキャリア間隔に従って、異なるように解釈するように構成される、条項１１に記載の通信デバイス。
【０１０７】
条項１４：前記コントローラが、
前記インフラ機器から前記ワイヤレスアクセスインタフェースを介して受信される信号強度を測定し、
要求される前記サブキャリア間隔を、前記インフラ機器から受信される前記信号強度に基づいて識別するように、前記送信機及び前記受信機とともに構成される、条項１１に記載の通信デバイス。
【０１０８】
条項１５：前記複数の異なる前記サブキャリア間隔が、３．７５ｋＨｚ及び１５ｋＨｚの２つのサブキャリア間隔を含み、前記３．７５ｋＨｚのサブキャリア間隔の前記標識は、前記通信デバイスが、単一サブキャリア上で、前記データを表す前記信号を送信又は前記データを表す前記信号を受信すべきであることを示し、前記１５ｋＨｚのサブキャリアの前記標識は、前記通信デバイスが、単一サブキャリア又は複数サブキャリア上で、前記データを表す前記信号を送信、又は前記データを表す前記信号を受信すべきであることを示す、条項１１に記載の通信デバイス。
【０１０９】
条項１６：モバイル通信ネットワークを介して通信デバイスに、又は通信デバイスからデータを通信する方法であって、前記方法が、
データを表す信号を、前記通信デバイスからモバイル通信ネットワークの一部を形成するインフラ機器に、前記インフラ機器によって提供されるワイヤレスアクセスインタフェースのアップリンクを介して送信すること、又は、
データを表す信号を、前記通信デバイスにおいてインフラ機器から前記ワイヤレスアクセスインタフェースのダウンリンクを介して受信すること、を含み、
前記ワイヤレスアクセスインタフェースが、前記データを表す信号を前記アップリンク上で送信するための、又は前記データを表す前記信号を前記ダウンリンク上で受信するための、複数の異なるサブキャリア間隔を提供することができ、前記送信すること、又は前記受信することは、
前記インフラ機器が、前記アップリンク又は前記ダウンリンク上で、ワイヤレスアクセスインタフェースの通信リソースを提供するための要件を識別するときに、
前記通信デバイスが前記データを表す前記信号を送信又は受信するために使用するべき、前記複数の異なるサブキャリア間隔のうちの１つの、前記ワイヤレスアクセスインタフェースのダウンリンク上の標識を受信することを含み、示される前記サブキャリア間隔もまた、前記通信デバイスが単一サブキャリアを使用すべきか、あるいは複数サブキャリアを使用すべきかを決定する、方法。
【０１１０】
条項１７：モバイル通信ネットワークを介して通信デバイスに、又は通信デバイスからデータを通信する方法であって、前記方法が、
データを表す信号を、前記通信デバイスからモバイル通信ネットワークの一部を形成するインフラ機器に、前記インフラ機器によって提供されるワイヤレスアクセスインタフェースのアップリンクを介して送信すること、又は、
データを表す信号を、前記通信デバイスにおいてインフラ機器から前記ワイヤレスアクセスインタフェースのダウンリンクを介して受信すること、を含み、
前記ワイヤレスアクセスインタフェースが、前記データを表す信号を前記アップリンク上で送信するための、又は前記データを表す前記信号を前記ダウンリンク上で受信するための、複数の異なるサブキャリア間隔を提供することができ、前記送信すること、又は前記受信することが、
前記通信デバイスによって要求されるサブキャリア間隔を表すプリアンブルの予め定められたセットのうちの１つを選択することと、
ランダムアクセス手順の一部として、要求される前記キャリア間隔を表す前記プリアンブルを前記インフラ機器に送信することと、
要求される前記サブキャリア間隔に従って、前記アップリンク上で前記データを送信すること、又は前記ダウンリンク上で前記データを受信することと、を含む、方法。
【０１１１】
条項１８：通信デバイスへ信号を送信し、又は通信デバイスから信号を受信するためのモバイル通信ネットワークの一部を形成するインフラ機器であって、前記インフラ機器が、
前記通信デバイスのうちの１つ以上に、前記インフラ機器によって形成されるワイヤレスアクセスインタフェースに従って信号を送信するように構成される送信機と、
前記通信デバイスのうちの１つ以上によって送信される信号を、前記ワイヤレスアクセスインタフェースに従って受信するように構成される受信機と、
前記送信機及び前記受信機を制御して、前記ワイヤレスアクセスインタフェースのアップリンクを介してデータを前記通信デバイスのうちの１つ以上に送信し、又は前記ワイヤレスアクセスインタフェースのダウンリンクを介して前記１つ以上の通信デバイスからデータを受信するように構成されるコントローラと、を備え、
前記ワイヤレスアクセスインタフェースが、前記データを表す信号をアップリンク上で前記１つ以上の通信デバイスから受信するための、又は前記データを表す信号をダウンリンク上で前記１つ以上の通信デバイスに送信するための、複数の異なるサブキャリア間隔を提供され、前記コントローラが、前記送信機及び前記受信機と組み合わせて、
前記ワイヤレスアクセスインタフェースの通信リソースを前記アップリンク又は前記ダウンリンク上で前記通信デバイスのうちの１つに提供するための要件を識別し、
前記複数の異なるサブキャリア間隔のうちの１つを選択し、選択される前記サブキャリア間隔もまた、前記通信デバイスが単一サブキャリアを使用するべきか、あるいは複数サブキャリアを使用するべきかを決定し、
前記通信デバイスが前記データを表す前記信号を送信又は受信するために使用するべき、前記複数の異なるサブキャリア間隔のうちの１つの、前記ワイヤレスアクセスインタフェースのダウンリンク上の標識を送信し、示される前記サブキャリア間隔もまた、前記通信デバイスが単一サブキャリアを使用すべきか、あるいは複数サブキャリアを使用すべきかを識別するように構成される、インフラ機器。
【０１１２】
条項１９：前記コントローラが、複数の利用可能なサブキャリアのうちのどの前記サブキャリアを、示される前記サブキャリア間隔で、前記通信デバイスが信号を送信するため、若しくは前記データを表す信号を受信するために使用すべきか、又は、どの複数の利用可能なサブキャリアを、示される前記サブキャリア間隔で、前記通信デバイスが信号を送信するため、若しくは前記データを表す信号を受信するために使用すべきかの標識を、示される前記サブキャリア間隔に依存して、前記通信デバイスに送信するように、前記送信機とともに構成される、条項１８に記載のインフラ機器。
【０１１３】
条項２０：前記コントローラが、使用する前記サブキャリア又は複数のサブキャリアの前記標識とともに前記サブキャリア間隔の前記標識を、前記サブキャリア間隔を示すフィールド及び使用する前記サブキャリア又は複数のサブキャリアを示すフィールドを含むダウンリンク制御メッセージ内において、前記通信デバイスに送信するように、前記送信機とともに構成され、
前記コントローラが、前記サブキャリア又は複数のサブキャリアのどれを使用するかを示す前記フィールドを、前記サブキャリア間隔を示す前記フィールドが、単一サブキャリアとしてのみ使用され得るサブキャリア間隔を示すか、あるいは単一サブキャリア又は複数サブキャリアとして使用され得るサブキャリア間隔を示すかに依存して、異なるように選択するように構成される、条項１９に記載のインフラ機器。
【０１１４】
条項２１：前記サブキャリア又は複数のサブキャリアのどれを使用するかを前記サブキャリア間隔の関数として示す前記フィールドが、前記インフラ機器と前記通信デバイスとの間で予め定められ、テーブルとして表され得る、条項２０に記載のインフラ機器。
【０１１５】
条項２２：前記コントローラが、前記サブキャリア又は複数のサブキャリアのどれを使用するかを前記サブキャリアの関数として示す前記フィールドの前記解釈を、ブロードキャストシステム情報の一部として送信するように、前記送信機とともに構成される、条項２０に記載のインフラ機器。
【０１１６】
条項２３：前記ダウンリンク制御メッセージが、前記データ送信時に前記通信デバイスによって、使用されるべき変調方式、使用されるべき符号化方式、及び使用されるべきトランスポートブロックサイズのうちの１つ以上の標識を含み、前記コントローラが、使用する前記変調方式、前記符号化方式、及び前記トランスポートブロックサイズのうちの１つ以上の前記標識を、示される前記サブキャリア間隔に依存して異なるように設定するように構成される、条項１８に記載のインフラ機器。
【０１１７】
条項２４：前記送信機と組み合わせた前記コントローラが、示される前記サブキャリア間隔に依存した、前記変調方式、前記符号化方式、及び前記トランスポートブロックサイズのうちの１つ以上の前記標識の前記異なる解釈を、ブロードキャストシステム情報の一部として送信するように構成される、条項２３に記載のインフラ機器。
【０１１８】
条項２５：前記コントローラが、
前記通信デバイスから測定結果報告を受信し、前記測定結果報告が、前記通信デバイスによって前記インフラ機器から前記ワイヤレスアクセスインタフェースを介して受信される信号強度の標識を提供し、
前記通信デバイスについての前記サブキャリア間隔を、受信される前記測定結果報告に基づいて選択するように、前記送信機及び前記受信機とともに構成される、条項１３に記載のインフラ機器。
【０１１９】
条項２６：前記ダウンリンク制御メッセージが、ランダムアクセス手順の一部として送信されるリソース割り当てメッセージである、条項１８に記載のインフラ機器。
【０１２０】
条項２７：前記複数の異なる前記サブキャリア間隔が、３．７５ｋＨｚ及び１５ｋＨｚの２つのサブキャリア間隔を含み、前記３．７５ｋＨｚのサブキャリア間隔の前記標識は、前記通信デバイスが、単一サブキャリア上で、前記信号を送信し又は前記データを表す前記信号を受信すべきであることを示し、前記１５ｋＨｚのサブキャリアの前記標識は、前記通信デバイスが、単一サブキャリア又は複数サブキャリア上で、前記データを表す前記信号を送信し、又は前記データを表す前記信号を受信すべきであることを示す、条項１８に記載のインフラ機器。
【０１２１】
条項２８：通信デバイスへ信号を送信し、又は通信デバイスから信号を受信するためのモバイル通信ネットワークの一部を形成するインフラ機器であって、前記インフラ機器が、
前記通信デバイスのうちの１つ以上に、前記インフラ機器によって形成されるワイヤレスアクセスインタフェースに従って信号を送信するように構成される送信機と、
前記通信デバイスのうちの１つ以上によって送信される信号を、前記ワイヤレスアクセスインタフェースに従って受信するように構成される受信機と、
前記送信機及び前記受信機を制御して、前記ワイヤレスアクセスインタフェースのアップリンクを介してデータを前記通信デバイスのうちの１つ以上に送信し、又は前記ワイヤレスアクセスインタフェースのダウンリンクを介して前記１つ以上の通信デバイスからデータを受信するように構成される、コントローラと、を備え、
前記ワイヤレスアクセスインタフェースが、前記データを表す信号をアップリンク上で前記１つ以上の通信デバイスから受信するための、又は前記データを表す信号をダウンリンク上で前記１つ以上の通信デバイスに送信するための、複数の異なるサブキャリア間隔を提供され、前記コントローラが、前記送信機及び前記受信機と組み合わせて、
前記アップリンク又は前記ダウンリンク上の前記ワイヤレスアクセスインタフェースの通信リソースを要求するランダムアクセス手順の一部として、前記複数の異なるサブキャリア間隔のうちの１つを使用して、プリアンブルを前記通信デバイスのうちの１つから受信し、選択される前記サブキャリア間隔もまた、前記通信デバイスが単一サブキャリアを使用すべきか、あるいは複数サブキャリアを使用すべきかを決定し、
要求される前記キャリア間隔に従って、前記ダウンリンク上で信号を送信し、又は前記アップリンク上で信号を受信するように構成される、インフラ機器。
【０１２２】
条項２９：モバイル通信ネットワークの一部を形成するインフラ機器から通信デバイスへデータを送信し、又は前記インフラ機器において通信デバイスからデータを受信する方法であって、前記方法が、
前記データを表す信号を、前記インフラ機器によって形成されるワイヤレスアクセスインタフェースに従って、前記ワイヤレスアクセスインタフェースのダウンリンク上で前記通信デバイスに送信すること、又は、
前記通信デバイスによって送信される前記データを表す信号を、前記ワイヤレスアクセスインタフェースに従って受信すること、を含み、
前記ワイヤレスアクセスインタフェースが、前記データを表す前記信号を前記ワイヤレスアクセスインタフェースのダウンリンク上で、前記通信デバイスのうちの１つ以上に送信するための、又は、前記データを表す前記信号を前記１つ以上の通信デバイスからアップリンク上で受信するための、複数の異なるサブキャリア間隔を提供され、前記送信すること、又は前記受信することが、
前記複数の異なるサブキャリア間隔のうちの１つを選択し、選択される前記サブキャリア間隔もまた、前記通信デバイスが単一サブキャリアを使用するべきか、あるいは複数サブキャリアを使用するべきかを決定することと、
前記通信デバイスが前記データを表す前記信号を送信し、又は前記データを表す前記信号を受信するために使用するべき、前記複数の異なるサブキャリア間隔のうちの１つの、前記ワイヤレスアクセスインタフェースのダウンリンク上の標識を送信することと、を含み、示される前記サブキャリア間隔もまた、前記通信デバイスが単一サブキャリアを使用すべきか、あるいは複数サブキャリアを使用すべきかを識別する、方法。
【０１２３】
条項３０：モバイル通信ネットワークの一部を形成するインフラ機器から通信デバイスへデータを送信し、又は前記インフラ機器において通信デバイスからデータを受信する方法であって、前記方法が、
前記データを表す信号を、前記インフラ機器によって形成されるワイヤレスアクセスインタフェースに従って、前記ワイヤレスアクセスインタフェースのダウンリンク上で前記通信デバイスに送信すること、又は、
前記通信デバイスによって送信される前記データを表す信号を、前記ワイヤレスアクセスインタフェースに従って受信すること、を含み、
前記ワイヤレスアクセスインタフェースが、前記データを表す前記信号を前記ワイヤレスアクセスインタフェースのダウンリンク上で、前記通信デバイスのうちの１つ以上に送信するための、又は、前記データを表す前記信号を前記１つ以上の通信デバイスからアップリンク上で受信するための、複数の異なるサブキャリア間隔を提供され、前記送信すること、又は前記受信することが、
前記アップリンク又は前記ダウンリンク上の前記ワイヤレスアクセスインタフェースの通信リソースを要求するランダムアクセス手順の一部として、前記複数の異なるサブキャリア間隔のうちの１つを使用して、プリアンブルを前記通信デバイスのうちの１つから受信することであって、選択される前記サブキャリア間隔もまた、前記通信デバイスが単一サブキャリアを使用すべきか、あるいは複数サブキャリアを使用すべきかを決定することと、
要求される前記キャリア間隔に従って、前記ダウンリンク上で信号を送信し、又は前記アップリンク上で信号を受信することと、を含む、方法。
【０１２４】
条項３１：モバイル通信ネットワークのインフラ機器へ信号を送信し、及び／又はインフラ機器から信号を受信する通信デバイスのための回路であって、前記回路が、
ワイヤレスアクセスインタフェースに従って前記インフラ機器により送信される信号を受信するように構成される受信機回路と、
前記ワイヤレスアクセスインタフェースに従って前記インフラ機器に信号を送信するように構成される送信機回路と、
前記送信機及び前記受信機を制御して、前記ワイヤレスアクセスインタフェースのアップリンクを介して前記インフラ機器にデータを送信し、又は前記ワイヤレスアクセスインタフェースの前記ダウンリンク上でデータを受信するように構成されるコントローラ回路と、を備え、
前記ワイヤレスアクセスインタフェースが、前記データを表す信号を送信するための複数の異なるサブキャリア間隔を提供することができ、前記コントローラ回路が、前記送信機回路及び前記受信機回路と組み合わせて、
前記インフラ機器が、前記通信デバイスが前記インフラ機器にデータを送信するための前記アップリンク上で、又は前記通信デバイスが前記インフラ機器からデータを受信するための前記ダウンリンク上で、前記ワイヤレスアクセスインタフェースの通信リソースを提供するための要件を識別するときに、前記通信デバイスが前記データを表す前記信号を送信又は受信するために使用するべき、前記複数の異なるサブキャリア間隔のうちの１つの前記ワイヤレスアクセスインタフェースのダウンリンク上で標識を受信するように構成され、示される前記サブキャリア間隔もまた、前記通信デバイスが単一サブキャリアを使用すべきか、あるいは複数サブキャリアを使用すべきかを決定する、回路。
【０１２５】
条項３２：通信ネットワークの一部を形成するインフラ機器のための回路であって、前記回路が、
前記通信デバイスのうちの１つ以上に、前記インフラ機器によって形成されるワイヤレスアクセスインタフェースに従って信号を送信するように構成される送信機回路と、
前記通信デバイスのうちの１つ以上によって送信される信号を、前記ワイヤレスアクセスインタフェースに従って受信するように構成される受信機回路と、
前記送信機及び前記受信機を制御して、前記ワイヤレスアクセスインタフェースのアップリンクを介してデータを前記通信デバイスのうちの１つ以上に送信し、又は前記ワイヤレスアクセスインタフェースのダウンリンクを介して前記１つ以上の通信デバイスからデータを受信するように構成される、コントローラ回路と、を備え、
前記ワイヤレスアクセスインタフェースが、前記データを表す信号をアップリンク上で前記１つ以上の通信デバイスから受信するための、又は前記データを表す信号をダウンリンク上で前記１つ以上の通信デバイスに送信するための、複数の異なるサブキャリア間隔を提供され、前記コントローラ回路が、前記送信機回路及び前記受信機回路と組み合わせて、
前記ワイヤレスアクセスインタフェースの通信リソースを前記アップリンク又は前記ダウンリンク上で前記通信デバイスのうちの１つに提供するための要件を識別し、
前記複数の異なるサブキャリア間隔のうちの１つを選択し、選択される前記サブキャリア間隔もまた、前記通信デバイスが単一サブキャリアを使用するべきか、あるいは複数サブキャリアを使用するべきかを決定し、
前記通信デバイスが前記データを表す前記信号を送信又は受信するために使用するべき、前記複数の異なるサブキャリア間隔のうちの１つの、前記ワイヤレスアクセスインタフェースのダウンリンク上の標識を送信するように構成され、示される前記サブキャリア間隔もまた、前記通信デバイスが単一サブキャリアを使用すべきか、あるいは複数サブキャリアを使用すべきかを識別する、回路。
【０１２６】
条項３３：条項１８に記載のインフラ機器を含む、ワイヤレス通信ネットワーク。
【０１２７】
条項３４：モバイル通信ネットワークのインフラ機器へ信号を送信し、及び／又はインフラ機器から信号を受信するように構成される通信デバイスであって、前記通信デバイスが、
ワイヤレスアクセスインタフェースに従って前記インフラ機器により送信される信号を受信するように構成される受信機と、
前記ワイヤレスアクセスインタフェースに従って前記インフラ機器に信号を送信するように構成される送信機と、
前記送信機及び前記受信機を制御して、前記ワイヤレスアクセスインタフェースのアップリンクを介して前記インフラ機器にデータを送信し、又は前記ワイヤレスアクセスインタフェースの前記ダウンリンク上でデータを受信するように構成されるコントローラと、を備え、
前記ワイヤレスアクセスインタフェースが、前記アップリンク及び前記ダウンリンク上での前記通信デバイスへの割り当てのための通信リソースを含み、前記通信リソースが、そのうちの１つ以上が前記通信デバイスに割り当てられ得る所定の数のサブキャリアの周波数リソースと、前記ワイヤレスアクセスインタフェースが所定の時間単位に分割される時間リソースとを含み、前記コントローラが、送信機及び受信機と組み合わせて、
前記インフラ機器が、前記アップリンク又は前記ダウンリンク上で前記ワイヤレスアクセスインタフェースの通信リソースを提供するための要件を識別するときに、前記データを受信又は送信するための前記通信デバイスに割り当てられる前記サブキャリアのうちの１つ以上の前記ワイヤレスアクセスインタフェースのダウンリンク上の標識を受信するように構成され、送信時間間隔が、その中において前記データのトランスポートブロックが送信又は受信されるべき、前記時間単位の数を表し、前記送信時間間隔が、前記時間単位の数につれて変化し得る、通信デバイス。
【０１２８】
条項３５：前記受信機が、割り当てられる前記送信時間間隔を示すフィールドを含むダウンリンク制御メッセージにおいて、前記データを受信又は送信するための前記通信デバイスに割り当てられる前記サブキャリアのうちの前記１つ以上の前記標識と、前記送信時間間隔とを、受信するように構成される、条項３４に記載の通信デバイス。
【０１２９】
条項３６：前記ダウンリンク制御メッセージが、使用されるべき変調方式、使用されるべき符号化方式、及び使用されるべきトランスポートブロックサイズのうちの１つ以上の標識を含み、前記コントローラが、前記変調方式、前記符号化方式、及び前記トランスポートブロックサイズのうちの１つ以上の前記標識を、前記送信時間間隔を決定するために割り当てられる１つ以上のサブキャリアの前記数で、解釈するように構成される、条項２６に記載の通信デバイス。
【０１３０】
条項３７：前記ダウンリンク制御メッセージが、使用されるべき変調及び符号化方式のインデックス及び等価な物理リソースブロック数の標識を含み、前記コントローラが、前記変調及び符号化方式、並びに前記等価な物理リソースブロック数の前記標識を解釈してトランスポートブロックサイズを決定し、割り当てられる前記１つ以上のサブキャリアの前記数と組み合わせて、前記送信時間間隔を決定するように構成される、条項３６に記載の通信デバイス。
【０１３１】
条項３８：前記送信時間間隔が、前記時間単位の整数倍数であり、かつ、割り当てられる前記サブキャリアの数によって割られる、前記インフラ機器によって割り当てられ得る前記１つ以上のサブキャリアの前記数である、条項３５に記載の通信デバイス。
【０１３２】
条項３９：前記送信時間間隔が、送信又は受信のために前記通信デバイスに割り当てられる前記１つ以上のサブキャリアの前記数の関数として変化する、条項３５に記載の通信デバイス。
【０１３３】
条項４０：前記ダウンリンク制御メッセージが、リソース割り当てメッセージ又はランダムアクセス応答メッセージの一部を形成する、条項３４に記載の通信デバイス。
【０１３４】
条項４１：モバイル通信ネットワークを介して通信デバイスに、又は通信デバイスからデータを通信する方法であって、前記方法が、
データを表す信号を、前記通信デバイスからモバイル通信ネットワークの一部を形成するインフラ機器に、前記インフラ機器によって提供されるワイヤレスアクセスインタフェースのアップリンクを介して送信すること、又は、
データを表す信号を、前記通信デバイスにおいてインフラ機器から前記ワイヤレスアクセスインタフェースのダウンリンクを介して受信すること、を含み、前記送信すること、又は前記受信することが、
前記インフラ機器が、前記アップリンク又は前記ダウンリンク上で、ワイヤレスアクセスインタフェースの通信リソースを提供するための要件を識別するときに、前記データを送信又は受信するために前記通信デバイスに割り当てられる前記サブキャリアのうちの１つ以上の前記ワイヤレスアクセスインタフェースのダウンリンク上の標識を受信することを含み、
送信時間間隔が、その中において前記データのトランスポートブロックが送信又は受信されるべき前記時間単位の数を表し、前記送信時間間隔が、前記時間単位の数につれて変化する、方法。
【０１３５】
条項４２：前記送信時間間隔が前記時間単位の数につれて変化することが、前記送信時間間隔を、送信又は受信のために前記通信デバイスに割り当てられる前記１つ以上のサブキャリアの前記数の関数として変化させることを含む、条項４１に記載の方法。
【０１３６】
条項４３：通信デバイスへ信号を送信し、又は通信デバイスから信号を受信するためのモバイル通信ネットワークの一部を形成するインフラ機器であって、前記インフラ機器が、
前記通信デバイスのうちの１つ以上に、前記インフラ機器によって形成されるワイヤレスアクセスインタフェースに従って信号を送信するように構成される送信機と、
前記通信デバイスのうちの１つ以上によって送信される信号を、前記ワイヤレスアクセスインタフェースに従って受信するように構成される受信機と、
前記送信機及び前記受信機を制御して、前記ワイヤレスアクセスインタフェースを介して、データを前記通信デバイスのうちの１つ以上に送信し、又はデータを前記１つ以上の通信デバイスから受信するように構成される、コントローラと、を備え、
前記ワイヤレスアクセスインタフェースが、前記アップリンク及び前記ダウンリンク上での前記通信デバイスへの割り当てのための通信リソースを含み、前記通信リソースが、そのうちの１つ以上が前記通信デバイスに割り当てられ得る所定の数のサブキャリアの周波数リソースと、前記ワイヤレスアクセスインタフェースが所定の時間単位に分割される時間リソースとを含み、前記コントローラが、前記送信機及び前記受信機と組み合わせて、
前記ワイヤレスアクセスインタフェースの通信リソースを前記アップリンク又は前記ダウンリンク上で前記通信デバイスのうちの１つに提供するための要件を識別し、
前記通信デバイスに割り当てられるべき前記ワイヤレスアクセスインタフェースの前記サブキャリアの数を決定し、
データを前記通信デバイスに送信し、又はデータを前記通信デバイスから受信するための送信時間間隔を、前記通信デバイスに割り当てられる前記１つ以上のサブキャリアの前記数の関数として決定し、
前記データを受信又は送信するために前記通信デバイスに割り当てられる前記１つ以上のサブキャリアの前記ワイヤレスアクセスインタフェースのダウンリンク上の標識を送信するように構成され、前記送信時間間隔が、その中において前記データのトランスポートブロックが送信又は受信されるべき前記時間単位の数を表し、前記送信時間間隔が、前記時間単位の数につれて変化する、インフラ機器。
【０１３７】
条項４４：モバイル通信ネットワークの一部を形成するインフラ機器から通信デバイスへデータを送信し、又は前記インフラ機器において通信デバイスからデータを受信する方法であって、前記方法が、
前記データを表す信号を、前記インフラ機器によって形成されるワイヤレスアクセスインタフェースに従って、前記ワイヤレスアクセスインタフェースのダウンリンク上で前記通信デバイスに送信すること、又は、
前記通信デバイスによって送信される前記データを表す信号を、前記ワイヤレスアクセスインタフェースに従って受信すること、を含み、
前記ワイヤレスアクセスインタフェースが、前記アップリンク及び前記ダウンリンク上での前記通信デバイスへの割り当てのための通信リソースを含み、前記通信リソースが、そのうちの１つ以上が前記通信デバイスに割り当てられ得る所定の数のサブキャリアの周波数リソースと、前記ワイヤレスアクセスインタフェースが所定の時間単位に分割される時間リソースとを含み、前記データを表す前記信号を前記送信すること、又は受信することが、
前記ワイヤレスアクセスインタフェースの通信リソースを前記アップリンク又は前記ダウンリンク上で前記通信デバイスのうちの１つに提供するための要件を識別することと、
前記通信デバイスに割り当てられるべき前記ワイヤレスアクセスインタフェースの前記サブキャリアの数を決定することと、
データを前記通信デバイスに送信し、又はデータを前記通信デバイスから受信するための送信時間間隔を、前記通信デバイスに割り当てられる前記１つ以上のサブキャリアの前記数の関数として決定することと、
前記データを受信又は送信するために前記通信デバイスに割り当てられる前記１つ以上のサブキャリアの前記ワイヤレスアクセスインタフェースのダウンリンク上の標識を送信することと、を含み、前記送信時間間隔が、その中において前記データのトランスポートブロックが送信又は受信されるべき前記時間単位の数を表し、前記送信時間間隔が、前記時間単位の数につれて変化する、方法。
【図１】
2019501603.tif 000010
【図２】
2019501603.tif 000011
【図３】
2019501603.tif 000012
【図４】
2019501603.tif 000013
【図５】
2019501603.tif 000014
【図６】
2019501603.tif 000015
【図７】
2019501603.tif 000016
【図８】
2019501603.tif 000017
【図９】
2019501603.tif 000018
【図１０】
2019501603.tif 000019
【手続補正書】
【提出日】平成30年9月11日(2018.9.11)
【手続補正１】
【補正対象書類名】特許請求の範囲
【補正対象項目名】全文
【補正方法】変更
【補正の内容】
【特許請求の範囲】
【請求項１】
モバイル通信ネットワークのインフラ機器へ信号を送信し、及び／又はインフラ機器から信号を受信するように構成される通信デバイスであって、前記通信デバイスが、
ワイヤレスアクセスインタフェースに従って前記インフラ機器により送信される信号を受信するように構成される受信機と、
前記ワイヤレスアクセスインタフェースに従って前記インフラ機器に信号を送信するように構成される送信機と、
前記送信機及び前記受信機を制御して、前記ワイヤレスアクセスインタフェースのアップリンクを介して前記インフラ機器にデータを送信し、又は前記ワイヤレスアクセスインタフェースの前記ダウンリンク上でデータを受信するように構成されるコントローラと、を備え、
前記ワイヤレスアクセスインタフェースが、前記データを表す信号を前記アップリンク上で送信するための、又は前記データを表す前記信号を前記ダウンリンク上で受信するための、複数の異なるサブキャリア間隔を提供することができ、前記コントローラが、前記送信機及び前記受信機と組み合わせて、
前記インフラ機器が、前記通信デバイスが前記インフラ機器にデータを送信するための前記アップリンク上で、又は前記通信デバイスが前記インフラ機器からデータを受信するための前記ダウンリンク上で、前記ワイヤレスアクセスインタフェースの通信リソースを提供するための要件を識別するときに、前記通信デバイスが前記データを表す前記信号を送信又は受信するために使用するべき、前記複数の異なるサブキャリア間隔のうちの１つの前記ワイヤレスアクセスインタフェースのダウンリンク上で標識を受信するように構成され、示される前記サブキャリア間隔もまた、前記通信デバイスが単一サブキャリアを使用すべきか、あるいは複数サブキャリアを使用すべきかを決定する、通信デバイス。
【請求項２】
前記受信機が、複数の利用可能なサブキャリアのうちのどのサブキャリアを、示される前記サブキャリア間隔で、前記通信デバイスが前記データを前記インフラ機器に送信するために、若しくは前記データを前記インフラ機器から受信するために使用すべきか、又は、どの複数の利用可能なサブキャリアを、示される前記サブキャリア間隔で、前記通信デバイスが前記データを送信若しくは受信するために使用すべきかの標識を、示される前記サブキャリア間隔に依存して、前記インフラ機器から受信するように構成される、請求項１に記載の通信デバイス。
【請求項３】
前記受信機が、前記サブキャリア間隔の前記標識を、使用するサブキャリア又は複数のサブキャリアの標識とともに、前記サブキャリア間隔を示すフィールド、及び使用する前記サブキャリア又は複数のサブキャリアを示すフィールドを含むダウンリンク制御メッセージにおいて受信するように構成され、
前記コントローラが、前記サブキャリア又は複数のサブキャリアのうちのどれを使用するかを示す前記フィールドを、前記サブキャリア間隔を示す前記フィールドが、単一サブキャリアとしてのみ使用され得るサブキャリア間隔を示すか、あるいは単一又は複数サブキャリアとして使用され得るサブキャリア間隔を示すかに依存して、異なるように解釈するように構成される、請求項２に記載の通信デバイス。
【請求項４】
前記サブキャリア又は複数のサブキャリアのどれを使用するかを前記サブキャリア間隔の関数として示す前記フィールドが、前記インフラ機器と前記通信デバイスとの間で予め定められ、テーブルとして表され得る、請求項３に記載の通信デバイス。
【請求項５】
前記サブキャリア又は複数のサブキャリアのどれを使用するかを前記サブキャリア間隔の関数として示す前記フィールドの前記予め定められた解釈が、前記インフラ機器からブロードキャストシステム情報の一部として受信される、請求項４に記載の通信デバイス。
【請求項６】
前記ダウンリンク制御メッセージが、前記データ送信時に前記通信デバイスによって、使用されるべき変調方式、使用されるべき符号化方式、及び使用されるべきトランスポートブロックサイズのうちの１つ以上の標識を含み、
前記コントローラが、使用する前記変調方式、前記符号化方式、及び前記トランスポートブロックサイズのうちの１つ以上の前記標識を、示される前記サブキャリア間隔に依存して異なるように解釈するように構成される、請求項３に記載の通信デバイス。
【請求項７】
示される前記サブキャリア間隔に依存した、前記変調方式、前記符号化方式、及び前記トランスポートブロックサイズのうちの１つ以上の前記標識の異なる前記解釈が、前記インフラ機器からブロードキャストシステム情報の一部として受信される、請求項６に記載の通信デバイス。
【請求項８】
前記コントローラが、
前記インフラ機器から前記ワイヤレスアクセスインタフェースを介して受信される信号強度を測定し、
測定結果の報告を前記インフラ機器に送信し、前記インフラ機器が、受信された前記測定結果の報告に基づいて前記通信デバイスについての前記サブキャリア間隔を選択するように、前記送信機及び前記受信機とともに構成される、請求項１に記載の通信デバイス。
【請求項９】
前記ダウンリンク制御メッセージが、ランダムアクセス手順の一部として送信される、請求項３に記載の通信デバイス。
【請求項１０】
前記複数の異なる前記サブキャリア間隔が、３．７５ｋＨｚ及び１５ｋＨｚの２つのサブキャリア間隔を含み、前記３．７５ｋＨｚのサブキャリア間隔の前記標識は、前記通信デバイスが、単一サブキャリア上で、前記データを表す前記信号を送信、又は前記データを表す前記信号を受信すべきであることを示し、前記１５ｋＨｚのサブキャリアの前記標識は、前記通信デバイスが、単一サブキャリア又は複数サブキャリア上で、前記データを表す前記信号を送信、又は前記データを表す前記信号を受信すべきであることを示す、請求項１に記載の通信デバイス。
【請求項１１】
モバイル通信ネットワークのインフラ機器へ信号を送信し、及び／又はインフラ機器から信号を受信するように構成される通信デバイスであって、前記通信デバイスが、
ワイヤレスアクセスインタフェースに従って前記インフラ機器により送信される信号を受信するように構成される受信機と、
前記ワイヤレスアクセスインタフェースに従って前記インフラ機器に信号を送信するように構成される送信機と、
前記送信機及び前記受信機を制御して、前記ワイヤレスアクセスインタフェースのアップリンクを介して前記インフラ機器にデータを送信し、又は前記ワイヤレスアクセスインタフェースの前記ダウンリンク上でデータを受信するように構成されるコントローラと、を備え、
前記ワイヤレスアクセスインタフェースが、前記データを表す信号を前記アップリンク上で送信するための、又は前記データを表す前記信号を前記ダウンリンク上で受信するための、複数の異なるサブキャリア間隔を提供することができ、前記コントローラが、前記送信機及び前記受信機と組み合わせて、
前記通信デバイスによって要求されるサブキャリア間隔を表すプリアンブルの予め定められたセット、及び単一サブキャリア又は複数サブキャリアに対する要求のうちの１つを選択し、
ランダムアクセス手順の一部として、要求される前記サブキャリア間隔を表す前記プリアンブルを前記インフラ機器に送信し、
前記アップリンク上で前記データを送信するための前記送信機、又は前記ダウンリンク上で前記データを受信するための前記受信機のうちの１つを、要求される前記サブキャリア間隔に従って構成するように構成される、通信デバイス。
【請求項１２】
前記コントローラが、要求される前記サブキャリア間隔に依存して、要求される前記サブキャリア間隔を表す前記プリアンブルの予め定められたセット、及び単一サブキャリア又は複数サブキャリアに対する要求のうちの１つを選択するように構成される、請求項１１に記載の通信デバイス。
【請求項１３】
前記コントローラが、
前記アップリンク又は前記ダウンリンクの通信リソースを割り当てるダウンリンク制御メッセージを受信するように、前記送信機及び前記受信機とともに構成され、
前記ダウンリンク制御メッセージが、前記アップリンク又は前記ダウンリンク上において前記インフラ機器によって割り当てられる周波数リソースを示すフィールドを含み、前記コントローラが、前記インフラ機器によって割り当てられる前記周波数リソースを示す前記フィールドを、前記通信デバイスによって要求される前記サブキャリア間隔に従って、異なるように解釈するように構成される、請求項１１に記載の通信デバイス。
【請求項１４】
前記コントローラが、
前記インフラ機器から前記ワイヤレスアクセスインタフェースを介して受信される信号強度を測定し、
要求される前記サブキャリア間隔を、前記インフラ機器から受信される前記信号強度に基づいて識別するように、前記送信機及び前記受信機とともに構成される、請求項１１に記載の通信デバイス。
【請求項１５】
前記複数の異なる前記サブキャリア間隔が、３．７５ｋＨｚ及び１５ｋＨｚの２つのサブキャリア間隔を含み、前記３．７５ｋＨｚのサブキャリア間隔の標識は、前記通信デバイスが、単一サブキャリア上で、前記データを表す前記信号を送信又は前記データを表す前記信号を受信すべきであることを示し、前記１５ｋＨｚのサブキャリアの標識は、前記通信デバイスが、単一サブキャリア又は複数サブキャリア上で、前記データを表す前記信号を送信、又は前記データを表す前記信号を受信すべきであることを示す、請求項１１に記載の通信デバイス。
【請求項１６】
モバイル通信ネットワークを介して通信デバイスに、又は通信デバイスからデータを通信する方法であって、前記方法が、
データを表す信号を、前記通信デバイスからモバイル通信ネットワークの一部を形成するインフラ機器に、前記インフラ機器によって提供されるワイヤレスアクセスインタフェースのアップリンクを介して送信すること、又は、
データを表す信号を、前記通信デバイスにおいてインフラ機器から前記ワイヤレスアクセスインタフェースのダウンリンクを介して受信すること、を含み、
前記ワイヤレスアクセスインタフェースが、前記データを表す信号を前記アップリンク上で送信するための、又は前記データを表す前記信号を前記ダウンリンク上で受信するための、複数の異なるサブキャリア間隔を提供することができ、前記送信すること、又は前記受信することは、
前記インフラ機器が、前記アップリンク又は前記ダウンリンク上で、ワイヤレスアクセスインタフェースの通信リソースを提供するための要件を識別するときに、
前記通信デバイスが前記データを表す前記信号を送信又は受信するために使用するべき、前記複数の異なるサブキャリア間隔のうちの１つの、前記ワイヤレスアクセスインタフェースのダウンリンク上の標識を受信することを含み、示される前記サブキャリア間隔もまた、前記通信デバイスが単一サブキャリアを使用すべきか、あるいは複数サブキャリアを使用すべきかを決定する、方法。
【請求項１７】
モバイル通信ネットワークを介して通信デバイスに、又は通信デバイスからデータを通信する方法であって、前記方法が、
データを表す信号を、前記通信デバイスからモバイル通信ネットワークの一部を形成するインフラ機器に、前記インフラ機器によって提供されるワイヤレスアクセスインタフェースのアップリンクを介して送信すること、又は、
データを表す信号を、前記通信デバイスにおいてインフラ機器から前記ワイヤレスアクセスインタフェースのダウンリンクを介して受信すること、を含み、
前記ワイヤレスアクセスインタフェースが、前記データを表す信号を前記アップリンク上で送信するための、又は前記データを表す前記信号を前記ダウンリンク上で受信するための、複数の異なるサブキャリア間隔を提供することができ、前記送信すること、又は前記受信することが、
前記通信デバイスによって要求されるサブキャリア間隔を表すプリアンブルの予め定められたセットのうちの１つを選択することと、
ランダムアクセス手順の一部として、要求される前記サブキャリア間隔を表す前記プリアンブルを前記インフラ機器に送信することと、
要求される前記サブキャリア間隔に従って、前記アップリンク上で前記データを送信すること、又は前記ダウンリンク上で前記データを受信することと、を含む、方法。
【請求項１８】
通信デバイスへ信号を送信し、又は通信デバイスから信号を受信するためのモバイル通信ネットワークの一部を形成するインフラ機器であって、前記インフラ機器が、
前記通信デバイスのうちの１つ以上に、前記インフラ機器によって形成されるワイヤレスアクセスインタフェースに従って信号を送信するように構成される送信機と、
前記通信デバイスのうちの１つ以上によって送信される信号を、前記ワイヤレスアクセスインタフェースに従って受信するように構成される受信機と、
前記送信機及び前記受信機を制御して、前記ワイヤレスアクセスインタフェースのアップリンクを介してデータを前記通信デバイスのうちの１つ以上に送信し、又は前記ワイヤレスアクセスインタフェースのダウンリンクを介して前記１つ以上の通信デバイスからデータを受信するように構成されるコントローラと、を備え、
前記ワイヤレスアクセスインタフェースが、前記データを表す信号をアップリンク上で前記１つ以上の通信デバイスから受信するための、又は前記データを表す信号をダウンリンク上で前記１つ以上の通信デバイスに送信するための、複数の異なるサブキャリア間隔を提供され、前記コントローラが、前記送信機及び前記受信機と組み合わせて、
前記ワイヤレスアクセスインタフェースの通信リソースを前記アップリンク又は前記ダウンリンク上で前記通信デバイスのうちの１つに提供するための要件を識別し、
前記複数の異なるサブキャリア間隔のうちの１つを選択し、選択される前記サブキャリア間隔もまた、前記通信デバイスが単一サブキャリアを使用するべきか、あるいは複数サブキャリアを使用するべきかを決定し、
前記通信デバイスが前記データを表す前記信号を送信又は受信するために使用するべき、前記複数の異なるサブキャリア間隔のうちの１つの、前記ワイヤレスアクセスインタフェースのダウンリンク上の標識を送信し、示される前記サブキャリア間隔もまた、前記通信デバイスが単一サブキャリアを使用すべきか、あるいは複数サブキャリアを使用すべきかを識別するように構成される、インフラ機器。
【請求項１９】
前記コントローラが、複数の利用可能なサブキャリアのうちのどの前記サブキャリアを、示される前記サブキャリア間隔で、前記通信デバイスが信号を送信するため、若しくは前記データを表す信号を受信するために使用すべきか、又は、どの複数の利用可能なサブキャリアを、示される前記サブキャリア間隔で、前記通信デバイスが信号を送信するため、若しくは前記データを表す信号を受信するために使用すべきかの標識を、示される前記サブキャリア間隔に依存して、前記通信デバイスに送信するように、前記送信機とともに構成される、請求項１８に記載のインフラ機器。
【請求項２０】
前記コントローラが、使用する前記サブキャリア又は複数のサブキャリアの前記標識とともに前記サブキャリア間隔の前記標識を、前記サブキャリア間隔を示すフィールド及び使用する前記サブキャリア又は複数のサブキャリアを示すフィールドを含むダウンリンク制御メッセージ内において、前記通信デバイスに送信するように、前記送信機とともに構成され、
前記コントローラが、前記サブキャリア又は複数のサブキャリアのどれを使用するかを示す前記フィールドを、前記サブキャリア間隔を示す前記フィールドが、単一サブキャリアとしてのみ使用され得るサブキャリア間隔を示すか、あるいは単一サブキャリア又は複数サブキャリアとして使用され得るサブキャリア間隔を示すかに依存して、異なるように選択するように構成される、請求項１９に記載のインフラ機器。
【請求項２１】
前記サブキャリア又は複数のサブキャリアのどれを使用するかを前記サブキャリア間隔の関数として示す前記フィールドが、前記インフラ機器と前記通信デバイスとの間で予め定められ、テーブルとして表され得る、請求項２０に記載のインフラ機器。
【請求項２２】
前記コントローラが、前記サブキャリア又は複数のサブキャリアのどれを使用するかを前記サブキャリアの関数として示す前記フィールドの解釈を、ブロードキャストシステム情報の一部として送信するように、前記送信機とともに構成される、請求項２０に記載のインフラ機器。
【請求項２３】
前記ダウンリンク制御メッセージが、前記データ送信時に前記通信デバイスによって、使用されるべき変調方式、使用されるべき符号化方式、及び使用されるべきトランスポートブロックサイズのうちの１つ以上の標識を含み、前記コントローラが、使用する前記変調方式、前記符号化方式、及び前記トランスポートブロックサイズのうちの１つ以上の前記標識を、示される前記サブキャリア間隔に依存して異なるように設定するように構成される、請求項２０に記載のインフラ機器。
【請求項２４】
前記送信機と組み合わせた前記コントローラが、示される前記サブキャリア間隔に依存した、前記変調方式、前記符号化方式、及び前記トランスポートブロックサイズのうちの１つ以上の前記標識の前記異なる解釈を、ブロードキャストシステム情報の一部として送信するように構成される、請求項２３に記載のインフラ機器。
【請求項２５】
前記コントローラが、
前記通信デバイスから測定結果報告を受信し、前記測定結果報告が、前記通信デバイスによって前記インフラ機器から前記ワイヤレスアクセスインタフェースを介して受信される信号強度の標識を提供し、
前記通信デバイスについての前記サブキャリア間隔を、受信される前記測定結果報告に基づいて選択するように、前記送信機及び前記受信機とともに構成される、請求項１８に記載のインフラ機器。
【請求項２６】
前記ダウンリンク制御メッセージが、ランダムアクセス手順の一部として送信されるリソース割り当てメッセージである、請求項２０に記載のインフラ機器。
【請求項２７】
前記複数の異なる前記サブキャリア間隔が、３．７５ｋＨｚ及び１５ｋＨｚの２つのサブキャリア間隔を含み、前記３．７５ｋＨｚのサブキャリア間隔の前記標識は、前記通信デバイスが、単一サブキャリア上で、前記信号を送信し又は前記データを表す前記信号を受信すべきであることを示し、前記１５ｋＨｚのサブキャリアの前記標識は、前記通信デバイスが、単一サブキャリア又は複数サブキャリア上で、前記データを表す前記信号を送信し、又は前記データを表す前記信号を受信すべきであることを示す、請求項１８に記載のインフラ機器。
【請求項２８】
通信デバイスへ信号を送信し、又は通信デバイスから信号を受信するためのモバイル通信ネットワークの一部を形成するインフラ機器であって、前記インフラ機器が、
前記通信デバイスのうちの１つ以上に、前記インフラ機器によって形成されるワイヤレスアクセスインタフェースに従って信号を送信するように構成される送信機と、
前記通信デバイスのうちの１つ以上によって送信される信号を、前記ワイヤレスアクセスインタフェースに従って受信するように構成される受信機と、
前記送信機及び前記受信機を制御して、前記ワイヤレスアクセスインタフェースのアップリンクを介してデータを前記通信デバイスのうちの１つ以上に送信し、又は前記ワイヤレスアクセスインタフェースのダウンリンクを介して前記１つ以上の通信デバイスからデータを受信するように構成される、コントローラと、を備え、
前記ワイヤレスアクセスインタフェースが、前記データを表す信号をアップリンク上で前記１つ以上の通信デバイスから受信するための、又は前記データを表す信号をダウンリンク上で前記１つ以上の通信デバイスに送信するための、複数の異なるサブキャリア間隔を提供され、前記コントローラが、前記送信機及び前記受信機と組み合わせて、
前記アップリンク又は前記ダウンリンク上の前記ワイヤレスアクセスインタフェースの通信リソースを要求するランダムアクセス手順の一部として、前記複数の異なるサブキャリア間隔のうちの１つを使用して、プリアンブルを前記通信デバイスのうちの１つから受信し、選択される前記サブキャリア間隔もまた、前記通信デバイスが単一サブキャリアを使用すべきか、あるいは複数サブキャリアを使用すべきかを決定し、
要求される前記サブキャリア間隔に従って、前記ダウンリンク上で信号を送信し、又は前記アップリンク上で信号を受信するように構成される、インフラ機器。
【請求項２９】
モバイル通信ネットワークの一部を形成するインフラ機器から通信デバイスへデータを送信し、又は前記インフラ機器において通信デバイスからデータを受信する方法であって、前記方法が、
前記データを表す信号を、前記インフラ機器によって形成されるワイヤレスアクセスインタフェースに従って、前記ワイヤレスアクセスインタフェースのダウンリンク上で前記通信デバイスに送信すること、又は、
前記通信デバイスによって送信される前記データを表す信号を、前記ワイヤレスアクセスインタフェースに従って受信すること、を含み、
前記ワイヤレスアクセスインタフェースが、前記データを表す前記信号を前記ワイヤレスアクセスインタフェースのダウンリンク上で、前記通信デバイスのうちの１つ以上に送信するための、又は、前記データを表す前記信号を前記１つ以上の通信デバイスからアップリンク上で受信するための、複数の異なるサブキャリア間隔を提供され、前記送信すること、又は前記受信することが、
前記複数の異なるサブキャリア間隔のうちの１つを選択し、選択される前記サブキャリア間隔もまた、前記通信デバイスが単一サブキャリアを使用するべきか、あるいは複数サブキャリアを使用するべきかを決定することと、
前記通信デバイスが前記データを表す前記信号を送信し、又は前記データを表す前記信号を受信するために使用するべき、前記複数の異なるサブキャリア間隔のうちの１つの、前記ワイヤレスアクセスインタフェースのダウンリンク上の標識を送信することと、を含み、示される前記サブキャリア間隔もまた、前記通信デバイスが単一サブキャリアを使用すべきか、あるいは複数サブキャリアを使用すべきかを識別する、方法。
【請求項３０】
モバイル通信ネットワークの一部を形成するインフラ機器から通信デバイスへデータを送信し、又は前記インフラ機器において通信デバイスからデータを受信する方法であって、前記方法が、
前記データを表す信号を、前記インフラ機器によって形成されるワイヤレスアクセスインタフェースに従って、前記ワイヤレスアクセスインタフェースのダウンリンク上で前記通信デバイスに送信すること、又は、
前記通信デバイスによって送信される前記データを表す信号を、前記ワイヤレスアクセスインタフェースに従って、前記ワイヤレスアクセスインタフェースのアップリンク上で受信すること、を含み、
前記ワイヤレスアクセスインタフェースが、前記データを表す前記信号を前記ワイヤレスアクセスインタフェースのダウンリンク上で、前記通信デバイスのうちの１つ以上に送信するための、又は、前記データを表す前記信号を前記１つ以上の通信デバイスからアップリンク上で受信するための、複数の異なるサブキャリア間隔を提供され、前記送信すること、又は前記受信することが、
前記アップリンク又は前記ダウンリンク上の前記ワイヤレスアクセスインタフェースの通信リソースを要求するランダムアクセス手順の一部として、前記複数の異なるサブキャリア間隔のうちの１つを使用して、プリアンブルを前記通信デバイスのうちの１つから受信することであって、選択される前記サブキャリア間隔もまた、前記通信デバイスが単一サブキャリアを使用すべきか、あるいは複数サブキャリアを使用すべきかを決定することと、
要求される前記サブキャリア間隔に従って、前記ダウンリンク上で信号を送信し、又は前記アップリンク上で信号を受信することと、を含む、方法。
【請求項３１】
モバイル通信ネットワークのインフラ機器へ信号を送信し、及び／又はインフラ機器から信号を受信する通信デバイスのための回路であって、前記回路が、
ワイヤレスアクセスインタフェースに従って前記インフラ機器により送信される信号を受信するように構成される受信機回路と、
前記ワイヤレスアクセスインタフェースに従って前記インフラ機器に信号を送信するように構成される送信機回路と、
前記送信機回路及び前記受信機回路を制御して、前記ワイヤレスアクセスインタフェースのアップリンクを介して前記インフラ機器にデータを送信し、又は前記ワイヤレスアクセスインタフェースの前記ダウンリンク上でデータを受信するように構成されるコントローラ回路と、を備え、
前記ワイヤレスアクセスインタフェースが、前記データを表す信号を送信するための複数の異なるサブキャリア間隔を提供することができ、前記コントローラ回路が、前記送信機回路及び前記受信機回路と組み合わせて、
前記インフラ機器が、前記通信デバイスが前記インフラ機器にデータを送信するための前記アップリンク上で、又は前記通信デバイスが前記インフラ機器からデータを受信するための前記ダウンリンク上で、前記ワイヤレスアクセスインタフェースの通信リソースを提供するための要件を識別するときに、前記通信デバイスが前記データを表す前記信号を送信又は受信するために使用するべき、前記複数の異なるサブキャリア間隔のうちの１つの前記ワイヤレスアクセスインタフェースのダウンリンク上で標識を受信するように構成され、示される前記サブキャリア間隔もまた、前記通信デバイスが単一サブキャリアを使用すべきか、あるいは複数サブキャリアを使用すべきかを決定する、回路。
【請求項３２】
通信ネットワークの一部を形成するインフラ機器のための回路であって、前記回路が、
通信デバイスのうちの１つ以上に、前記インフラ機器によって形成されるワイヤレスアクセスインタフェースに従って信号を送信するように構成される送信機回路と、
前記通信デバイスのうちの１つ以上によって送信される信号を、前記ワイヤレスアクセスインタフェースに従って受信するように構成される受信機回路と、
前記送信機回路及び前記受信機回路を制御して、前記ワイヤレスアクセスインタフェースのアップリンクを介してデータを前記通信デバイスのうちの１つ以上に送信し、又は前記ワイヤレスアクセスインタフェースのダウンリンクを介して前記１つ以上の通信デバイスからデータを受信するように構成される、コントローラ回路と、を備え、
前記ワイヤレスアクセスインタフェースが、前記データを表す信号をアップリンク上で前記１つ以上の通信デバイスから受信するための、又は前記データを表す信号をダウンリンク上で前記１つ以上の通信デバイスに送信するための、複数の異なるサブキャリア間隔を提供され、前記コントローラ回路が、前記送信機回路及び前記受信機回路と組み合わせて、
前記ワイヤレスアクセスインタフェースの通信リソースを前記アップリンク又は前記ダウンリンク上で前記通信デバイスのうちの１つに提供するための要件を識別し、
前記複数の異なるサブキャリア間隔のうちの１つを選択し、選択される前記サブキャリア間隔もまた、前記通信デバイスが単一サブキャリアを使用するべきか、あるいは複数サブキャリアを使用するべきかを決定し、
前記通信デバイスが前記データを表す前記信号を送信又は受信するために使用するべき、前記複数の異なるサブキャリア間隔のうちの１つの、前記ワイヤレスアクセスインタフェースのダウンリンク上の標識を送信するように構成され、示される前記サブキャリア間隔もまた、前記通信デバイスが単一サブキャリアを使用すべきか、あるいは複数サブキャリアを使用すべきかを識別する、回路。
【請求項３３】
請求項１８に記載のインフラ機器を含む、ワイヤレス通信ネットワーク。
【請求項３４】
モバイル通信ネットワークのインフラ機器へ信号を送信し、及び／又はインフラ機器から信号を受信するように構成される通信デバイスであって、前記通信デバイスが、
ワイヤレスアクセスインタフェースに従って前記インフラ機器により送信される信号を受信するように構成される受信機と、
前記ワイヤレスアクセスインタフェースに従って前記インフラ機器に信号を送信するように構成される送信機と、
前記送信機及び前記受信機を制御して、前記ワイヤレスアクセスインタフェースのアップリンクを介して前記インフラ機器にデータを送信し、又は前記ワイヤレスアクセスインタフェースの前記ダウンリンク上でデータを受信するように構成されるコントローラと、を備え、
前記ワイヤレスアクセスインタフェースが、前記アップリンク及び前記ダウンリンク上での前記通信デバイスへの割り当てのための通信リソースを含み、前記通信リソースが、そのうちの１つ以上が前記通信デバイスに割り当てられ得る所定の数のサブキャリアの周波数リソースと、前記ワイヤレスアクセスインタフェースが所定の時間単位に分割される時間リソースとを含み、前記コントローラが、送信機及び受信機と組み合わせて、
前記インフラ機器が、前記アップリンク又は前記ダウンリンク上で前記ワイヤレスアクセスインタフェースの通信リソースを提供するための要件を識別するときに、前記データを受信又は送信するための前記通信デバイスに割り当てられる前記サブキャリアのうちの１つ以上の前記ワイヤレスアクセスインタフェースのダウンリンク上の標識を受信するように構成され、送信時間間隔が、その中において前記データのトランスポートブロックが送信又は受信されるべき、前記時間単位の数を表し、前記送信時間間隔が、前記時間単位の数につれて変化し得る、通信デバイス。
【請求項３５】
前記受信機が、割り当てられる前記送信時間間隔を示すフィールドを含むダウンリンク制御メッセージにおいて、前記データを受信又は送信するための前記通信デバイスに割り当てられる前記サブキャリアのうちの前記１つ以上の前記標識と、前記送信時間間隔とを、受信するように構成される、請求項３４に記載の通信デバイス。
【請求項３６】
ダウンリンク制御メッセージが、使用されるべき変調方式、使用されるべき符号化方式、及び使用されるべきトランスポートブロックサイズのうちの１つ以上の標識を含み、前記コントローラが、前記変調方式、前記符号化方式、及び前記トランスポートブロックサイズのうちの１つ以上の前記標識を、前記送信時間間隔を決定するために割り当てられる１つ以上のサブキャリアの前記数で、解釈するように構成される、請求項３４に記載の通信デバイス。
【請求項３７】
前記ダウンリンク制御メッセージが、使用されるべき変調及び符号化方式のインデックス及び等価な物理リソースブロック数の標識を含み、前記コントローラが、前記変調及び符号化方式、並びに前記等価な物理リソースブロック数の前記標識を解釈してトランスポートブロックサイズを決定し、割り当てられる前記１つ以上のサブキャリアの前記数と組み合わせて、前記送信時間間隔を決定するように構成される、請求項３６に記載の通信デバイス。
【請求項３８】
前記送信時間間隔が、前記時間単位の整数倍数であり、かつ、割り当てられる前記サブキャリアの数によって割られる、前記インフラ機器によって割り当てられ得る前記１つ以上のサブキャリアの前記数である、請求項３５に記載の通信デバイス。
【請求項３９】
前記送信時間間隔が、送信又は受信のために前記通信デバイスに割り当てられる前記１つ以上のサブキャリアの前記数の関数として変化する、請求項３５に記載の通信デバイス。
【請求項４０】
前記ダウンリンク制御メッセージが、リソース割り当てメッセージ又はランダムアクセス応答メッセージの一部を形成する、請求項３６に記載の通信デバイス。
【請求項４１】
モバイル通信ネットワークを介して通信デバイスに、又は通信デバイスからデータを通信する方法であって、前記方法が、
データを表す信号を、前記通信デバイスからモバイル通信ネットワークの一部を形成するインフラ機器に、前記インフラ機器によって提供されるワイヤレスアクセスインタフェースのアップリンクを介して送信すること、又は、
データを表す信号を、前記通信デバイスにおいてインフラ機器から前記ワイヤレスアクセスインタフェースのダウンリンクを介して受信すること、を含み、前記送信すること、又は前記受信することが、
前記インフラ機器が、前記アップリンク又は前記ダウンリンク上で、ワイヤレスアクセスインタフェースの通信リソースを提供するための要件を識別するときに、前記データを送信又は受信するために前記通信デバイスに割り当てられるサブキャリアのうちの１つ以上の前記ワイヤレスアクセスインタフェースのダウンリンク上の標識を受信することを含み、
送信時間間隔が、その中において前記データのトランスポートブロックが送信又は受信されるべき時間単位の数を表し、前記送信時間間隔が、前記時間単位の数につれて変化する、方法。
【請求項４２】
前記送信時間間隔が前記時間単位の数につれて変化することが、前記送信時間間隔を、送信又は受信のために前記通信デバイスに割り当てられる前記１つ以上のサブキャリアの前記数の関数として変化させることを含む、請求項４１に記載の方法。
【請求項４３】
通信デバイスへ信号を送信し、又は通信デバイスから信号を受信するためのモバイル通信ネットワークの一部を形成するインフラ機器であって、前記インフラ機器が、
前記通信デバイスのうちの１つ以上に、前記インフラ機器によって形成されるワイヤレスアクセスインタフェースに従って、前記ワイヤレスアクセスインタフェースのダウンリンク上で信号を送信するように構成される送信機と、
前記通信デバイスのうちの１つ以上によって送信される信号を、前記ワイヤレスアクセスインタフェースに従って、前記ワイヤレスアクセスインタフェースのアップリンク上で受信するように構成される受信機と、
前記送信機及び前記受信機を制御して、前記ワイヤレスアクセスインタフェースを介して、データを前記通信デバイスのうちの１つ以上に送信し、又はデータを前記１つ以上の通信デバイスから受信するように構成される、コントローラと、を備え、
前記ワイヤレスアクセスインタフェースが、前記アップリンク及び前記ダウンリンク上での前記通信デバイスへの割り当てのための通信リソースを含み、前記通信リソースが、そのうちの１つ以上が前記通信デバイスに割り当てられ得る所定の数のサブキャリアの周波数リソースと、前記ワイヤレスアクセスインタフェースが所定の時間単位に分割される時間リソースとを含み、前記コントローラが、前記送信機及び前記受信機と組み合わせて、
前記ワイヤレスアクセスインタフェースの通信リソースを前記アップリンク又は前記ダウンリンク上で前記通信デバイスのうちの１つに提供するための要件を識別し、
前記通信デバイスに割り当てられるべき前記ワイヤレスアクセスインタフェースの前記サブキャリアの数を決定し、
データを前記通信デバイスに送信し、又はデータを前記通信デバイスから受信するための送信時間間隔を、前記通信デバイスに割り当てられる前記１つ以上のサブキャリアの前記数の関数として決定し、
前記データを受信又は送信するために前記通信デバイスに割り当てられる前記１つ以上のサブキャリアの前記ワイヤレスアクセスインタフェースのダウンリンク上の標識を送信するように構成され、前記送信時間間隔が、その中において前記データのトランスポートブロックが送信又は受信されるべき前記時間単位の数を表し、前記送信時間間隔が、前記時間単位の数につれて変化する、インフラ機器。
【請求項４４】
モバイル通信ネットワークの一部を形成するインフラ機器から通信デバイスへデータを送信し、又は前記インフラ機器において通信デバイスからデータを受信する方法であって、前記方法が、
前記データを表す信号を、前記インフラ機器によって形成されるワイヤレスアクセスインタフェースに従って、前記ワイヤレスアクセスインタフェースのダウンリンク上で前記通信デバイスに送信すること、又は、
前記通信デバイスによって送信される前記データを表す信号を、前記ワイヤレスアクセスインタフェースに従って、前記ワイヤレスアクセスインタフェースのアップリンク上で受信すること、を含み、
前記ワイヤレスアクセスインタフェースが、前記アップリンク及び前記ダウンリンク上での前記通信デバイスへの割り当てのための通信リソースを含み、前記通信リソースが、そのうちの１つ以上が前記通信デバイスに割り当てられ得る所定の数のサブキャリアの周波数リソースと、前記ワイヤレスアクセスインタフェースが所定の時間単位に分割される時間リソースとを含み、前記データを表す前記信号を前記送信すること、又は受信することが、
前記ワイヤレスアクセスインタフェースの通信リソースを前記アップリンク又は前記ダウンリンク上で前記通信デバイスのうちの１つに提供するための要件を識別することと、
前記通信デバイスに割り当てられるべき前記ワイヤレスアクセスインタフェースの前記サブキャリアの数を決定することと、
データを前記通信デバイスに送信し、又はデータを前記通信デバイスから受信するための送信時間間隔を、前記通信デバイスに割り当てられる前記１つ以上のサブキャリアの前記数の関数として決定することと、
前記データを受信又は送信するために前記通信デバイスに割り当てられる前記１つ以上のサブキャリアの前記ワイヤレスアクセスインタフェースのダウンリンク上の標識を送信することと、を含み、前記送信時間間隔が、その中において前記データのトランスポートブロックが送信又は受信されるべき前記時間単位の数を表し、前記送信時間間隔が、前記時間単位の数につれて変化する、方法。
【国際調査報告】
2019501603.tif 000020
2019501603.tif 000021
2019501603.tif 000022
2019501603.tif 000023